(57)【特許請求の範囲】
【請求項１】
暗号化された映像信号から得られた、所定のデジタルインターフェース規格に準拠したデジタル信号を受信する、２以上の所定数の受信インターフェース手段を有し、前記所定数の受信インターフェース手段を介して受信したデジタル信号のうちいずれか１つを選択し、復号化して出力する映像入力装置であって、
前記所定数の受信インターフェース手段のうちいずれか１つを選択するための入力選択情報を出力する入力選択回路と、
前記入力選択情報に基づいて、前記所定数の受信インターフェース手段を介して入力されたデジタル信号のうちいずれか１つを選択して出力する入力信号セレクタと、
前記入力信号セレクタから出力されたデジタル信号をデコード処理して、映像信号を出力する入力処理回路と、
前記所定数の受信インターフェース手段毎に設けられており、前記入力処理回路から出力された映像信号の暗号を復号して出力するとともに、暗号の認証鍵を生成して当該受信インターフェース手段に送る、複数の暗号復号処理回路と、
前記入力選択情報に基づいて、前記複数の暗号復号処理回路からそれぞれ出力された映像信号のうちいずれか１つを選択して出力する映像信号セレクタとを備え、
前記複数の暗号復号処理回路は、それぞれ、
前記入力処理回路から出力された映像信号から情報を抽出し、この抽出した情報に基づいて、擬似映像信号を生成して出力する擬似信号生成回路と、
前記入力選択情報に基づいて、前記入力処理回路から出力された映像信号と前記擬似信号生成回路から出力された擬似映像信号のうちのいずれか１つを選択して出力する第２の映像信号セレクタと、
前記第２の映像信号セレクタから出力された映像信号に基づいて、認証鍵を生成して出力する認証鍵生成回路と、
前記第２の映像信号セレクタから出力された映像信号の暗号を復号して出力する映像復号回路とを備えたものである
ことを特徴とする映像入力装置。
【請求項２】
請求項１記載の映像入力装置において、
前記擬似信号生成回路は、
前記入力処理回路から出力された映像信号のタイミング情報を取得するタイミング検出回路と、
前記タイミング検出回路から出力されたタイミング情報を、前記入力選択情報に基づいて、記憶するタイミング情報保持回路と、
前記入力処理回路から出力された映像信号に含まれる暗号制御情報を取得し、前記入力選択情報に基づいて記憶する暗号制御情報保持回路と、
前記暗号制御情報保持回路から出力された暗号制御情報と、前記タイミング情報保持回路から出力されたタイミング情報とに基づいて、前記擬似映像信号を生成する映像信号生成回路とを備えたものである
ことを特徴とする映像入力装置。
【請求項３】
請求項１記載の映像入力装置において、
所定周期で発振するクロック信号を生成出力する発振器を備え、
前記擬似信号生成回路は、前記発振器から出力されたクロック信号に基づいて動作するものである
ことを特徴とする映像入力装置。
【請求項４】
請求項１記載の映像入力装置において、
前記複数の暗号復号処理回路は、前記入力選択情報に基づいて、パワーダウン状態に制御される
ことを特徴とする映像入力装置。
【請求項５】
請求項１記載の映像入力装置において、
前記認証鍵生成回路は、前記入力選択情報と、前記第２の映像信号セレクタの選択結果とに基づいて、パワーダウン状態に制御される
ことを特徴とする映像入力装置。
【請求項６】
請求項１記載の映像入力装置において、
前記所定数の受信インターフェース手段毎に、映像再生装置が接続されているか否かを検出する接続検出回路を備え、
前記入力処理回路は、前記入力選択情報と、前記接続検出回路の検出結果とに基づいて、パワーダウン状態に制御される
ことを特徴とする映像入力装置。
【請求項７】
暗号化された映像信号から得られた、所定のデジタルインターフェース規格に準拠したデジタル信号を受信する、３以上の所定数の受信インターフェース手段を有し、前記所定数の受信インターフェース手段を介して受信したデジタル信号のうちいずれか１つを選択し、復号化して外部出力する映像入力装置であって、
前記所定数の受信インターフェース手段のうちいずれか１つを選択するための出力選択情報を出力する出力映像選択回路と、
前記所定数の受信インターフェース手段のうちいずれか１つを選択するための入力選択情報を出力する入力選択回路と、
前記出力選択情報に基づいて、前記所定数の受信インターフェース手段を介して入力されたデジタル信号のうちいずれか１つを選択して出力する第１の入力信号セレクタと、
前記入力選択情報に基づいて、前記所定数の受信インターフェース手段を介して入力されたデジタル信号のうちいずれか１つを選択して出力する第２の入力信号セレクタと、
前記第１の入力信号セレクタから出力されたデジタル信号をデコード処理して、映像信号を出力する第１の入力処理回路と、
前記第２の入力信号セレクタから出力されたデジタル信号をデコード処理して、映像信号を出力する第２の入力処理回路と、
前記所定数の受信インターフェース手段毎に設けられており、前記第１または第２の入力処理回路から出力された映像信号の暗号を復号して出力するとともに、暗号の認証鍵を生成して当該受信インターフェース手段に送る、複数の暗号復号処理回路と、
前記出力選択情報に基づいて、前記複数の暗号復号処理回路からそれぞれ出力された映像信号のうちいずれか１つを選択して出力する映像信号セレクタとを備え、
前記複数の暗号復号処理回路は、それぞれ、
前記第１または第２の入力処理回路から出力された映像信号から情報を抽出し、この抽出した情報に基づいて、擬似映像信号を生成して出力する擬似信号生成回路と、
前記入力選択情報に基づいて、前記第２の入力処理回路から出力された映像信号と前記擬似信号生成回路から出力された擬似映像信号のうちのいずれか１つを選択して出力する第２の映像信号セレクタと、
前記出力選択情報に基づいて、前記第１の入力処理回路から出力された映像信号と前記第２の映像信号セレクタから出力された映像信号のうちのいずれか１つを選択して出力する第３の映像信号セレクタと、
前記第３の映像信号セレクタから出力された映像信号に基づいて、認証鍵を生成して出力する認証鍵生成回路と、
前記第３の映像信号セレクタから出力された映像信号の暗号を復号して出力する映像復号回路とを備えたものである
ことを特徴とする映像入力装置。
【請求項８】
請求項７記載の映像入力装置において、
前記擬似信号生成回路は、
前記出力選択情報に基づいて、前記第１の入力処理回路から出力された映像信号と前記第２の入力処理回路から出力された映像信号のうちいずれか１つを選択する第４の映像信号セレクタと、
前記第４の映像信号セレクタから出力された映像信号のタイミング情報を取得するタイミング検出回路と、
前記タイミング検出回路から出力されたタイミング情報を、前記出力選択情報および前記入力選択情報に基づいて、記憶するタイミング情報保持回路と、
前記第４の映像信号セレクタから出力された映像信号に含まれる暗号制御情報を取得し、前記出力選択情報および前記入力選択情報に基づいて記憶する暗号制御情報保持回路と、
前記暗号制御情報保持回路から出力された暗号制御情報と、前記タイミング情報保持回路から出力されたタイミング情報とに基づいて、前記擬似映像信号を生成する映像信号生成回路とを備えたものである
ことを特徴とする映像入力装置。
【請求項９】
請求項７記載の映像入力装置において、
所定周期で発振するクロック信号を生成出力する発振器を備え、
前記擬似信号生成回路は、前記発振器から出力されたクロック信号に基づいて動作するものである
ことを特徴とする映像入力装置。
【請求項１０】
請求項７記載の映像入力装置において、
前記複数の暗号復号処理回路は、前記出力選択情報に基づいて、パワーダウン状態に制御される
ことを特徴とする映像入力装置。
【請求項１１】
請求項７記載の映像入力装置において、
前記認証鍵生成回路は、前記出力選択情報と、前記第３の映像信号セレクタの選択結果とに基づいて、パワーダウン状態に制御される
ことを特徴とする映像入力装置。
【請求項１２】
請求項７記載の映像入力装置において、
前記所定数の受信インターフェース手段毎に、映像再生装置が接続されているか否かを検出する接続検出回路を備え、
前記第１の入力処理回路は、前記出力選択情報と、前記接続検出回路の検出結果とに基づいて、パワーダウン状態に制御され、
前記第２の入力処理回路は、前記入力選択情報と、前記接続検出回路の検出結果とに基づいて、パワーダウン状態に制御される
ことを特徴とする映像入力装置。
【請求項１３】
請求項７記載の映像入力装置において、
前記入力選択回路は、タイマを備え、前記タイマから出力される時間情報に基づいて、前記入力選択情報を定期的に切り替えるものである
ことを特徴とする映像入力装置。
【請求項１４】
暗号化された映像信号から得られた、所定のデジタルインターフェース規格に準拠したデジタル信号を受信する受信インターフェース手段と、伝送路から映像信号を受信する所定数の映像信号受信手段とを有し、前記受信インターフェース手段を介して受信したデジタル信号、および前記所定数の映像信号受信手段を介して受信した映像信号のうちいずれか１つを選択して出力する映像入力装置であって、
出力映像を選択するための出力選択情報を出力する出力選択回路と、
前記受信インターフェース手段を介して入力されたデジタル信号をデコード処理して、映像信号を出力する入力処理回路と、
前記出力選択情報に基づいて、前記入力処理回路をパワーダウン状態にするか否かを制御するための電力制御情報を出力する入力電力制御回路と、
前記入力処理回路から出力された映像信号の暗号を復号して出力するとともに、暗号の認証鍵を生成して前記受信インターフェース手段に送る暗号復号処理回路と、
前記所定数の映像信号受信手段毎に設けられており、受信信号に対して復号化処理等の信号処理を行い、映像信号を出力する受信信号処理回路と、
前記出力選択情報に基づいて、前記暗号復号処理回路から出力された映像信号と前記受信信号処理回路から出力された映像信号とのうちいずれか１つを選択して出力する映像信号セレクタとを備え、
前記暗号復号処理回路は、
前記入力処理回路から出力された映像信号から情報を抽出し、この抽出した情報に基づいて、擬似映像信号を生成して出力する擬似信号生成回路と、
前記出力選択情報に基づいて、前記入力処理回路から出力された映像信号と前記擬似信号生成回路から出力された擬似映像信号とのうちいずれか１つを選択して出力する第２の映像信号セレクタと、
前記第２の映像信号セレクタから出力された映像信号に基づいて、認証鍵を生成して出力する認証鍵生成回路と、
前記第２の映像信号セレクタから出力された映像信号の暗号を復号して出力する映像復号回路とを備えたものである
ことを特徴とする映像入力装置。
【請求項１５】
請求項１４記載の映像入力装置において、
前記擬似信号生成回路は、
前記入力処理回路から出力された映像信号のタイミング情報を取得するタイミング検出回路と、
前記タイミング検出回路から出力されたタイミング情報を、前記電力制御情報に基づいて、記憶するタイミング情報保持回路と、
前記入力処理回路から出力された映像信号に含まれる暗号制御情報を取得し、前記電力制御情報に基づいて記憶する暗号制御情報保持回路と、
前記暗号制御情報保持回路から出力された暗号制御情報と、前記タイミング情報保持回路から出力されたタイミング情報とに基づいて、前記擬似映像信号を生成する映像信号生成回路とを備えたものである
ことを特徴とする映像入力装置。
【請求項１６】
請求項１４記載の映像入力装置において、
所定周期で発振するクロック信号を生成出力する発振器を備え、
前記擬似信号生成回路は、前記発振器から出力されたクロック信号に基づいて動作するものである
ことを特徴とする映像入力装置。
【請求項１７】
請求項１４記載の映像入力装置において、
前記暗号復号処理回路は、前記電力制御情報に基づいて、パワーダウン状態に制御される
ことを特徴とする映像入力装置。
【請求項１８】
請求項１４記載の映像入力装置において、
前記認証鍵生成回路は、前記電力制御情報と、前記第２の映像信号セレクタの選択結果とに基づいて、パワーダウン状態に制御される
ことを特徴とする映像入力装置。
【請求項１９】
請求項１４記載の映像入力装置において、
前記受信インターフェース手段に、映像再生装置が接続されているか否かを検出する接続検出回路を備え、
前記入力電力制御回路は、前記接続検出回路の検出結果に基づいて、前記電力制御情報を設定するものである
ことを特徴とする映像入力装置。
【請求項２０】
請求項１４記載の映像入力装置において、
前記入力電力制御回路は、タイマを備え、前記出力選択情報と、前記タイマから出力される時間情報に基づいて、前記電力制御情報を設定するものである
ことを特徴とする映像入力装置。
【請求項２１】
請求項１４記載の映像入力装置において、
前記入力電力制御回路は、前記出力選択情報と、前記擬似信号生成回路から出力された擬似映像信号に基づいて、前記電力制御情報を設定するものである
ことを特徴とする映像入力装置。
【請求項２２】
暗号化された映像信号から得られた、所定のデジタルインターフェース規格に準拠したデジタル信号を送信する１以上の所定数の映像再生装置と、前記所定数の映像再生装置から送信されたデジタル信号をそれぞれ受信する所定数の受信インターフェース手段を有し、前記所定数の受信インターフェース手段を介して受信したデジタル信号のうちいずれか１つを選択し、復号化して出力する映像表示装置と、からなる映像表示システムであって、
前記映像再生装置は、それぞれ、
デジタル映像信号を暗号化する暗号回路と、
前記暗号回路から出力されたデジタル映像信号に対して、外部出力するためのエンコード処理を行う出力制御回路と、
前記映像表示装置に対してデジタル信号を出力し、前記映像表示装置の認証鍵を入力し、制御情報を入出力する送信インターフェース手段と、
前記デジタル映像信号に基づいて暗号の認証鍵を生成し、前記送信インターフェース手段を介して入力された前記映像表示装置の認証鍵とを比較して、認証状態を確認する認証回路と、
前記送信インターフェース手段を介して制御情報を入出力する送信制御情報通信手段とを備えており、
前記映像表示装置は、
前記所定数の受信インターフェース手段を介して制御情報を入出力する受信制御情報通信手段と、
前記所定数の受信インターフェース手段のうちいずれか１つを選択するための入力選択情報を出力する入力選択回路と、
前記入力選択情報に基づいて、前記所定数の受信インターフェース手段を介して入力されたデジタル信号のうちいずれか１つを選択して出力する入力信号セレクタと、
前記入力信号セレクタから出力されたデジタル信号をデコード処理して、映像信号を出力する入力処理回路と、
前記所定数の受信インターフェース手段毎に設けられており、前記入力処理回路から出力された映像信号の暗号を復号して出力するとともに、暗号の認証鍵を生成して当該受信インターフェース手段に送る、複数の暗号復号処理回路と、
前記入力選択情報に基づいて、前記複数の暗号復号処理回路からそれぞれ出力された映像信号のうちいずれか１つを選択して出力する映像信号セレクタとを備え、
前記複数の暗号復号処理回路は、それぞれ、
前記入力処理回路から出力された映像信号から情報を抽出し、この抽出した情報に基づいて、擬似映像信号を生成して出力する擬似信号生成回路と、
前記入力選択情報に基づいて、前記入力処理回路から出力された映像信号と前記擬似信号生成回路から出力された擬似映像信号とのうちのいずれか１つを選択して出力する第２の映像信号セレクタと、
前記第２の映像信号セレクタから出力された映像信号に基づいて、認証鍵を生成して出力する認証鍵生成回路と、
前記第２の映像信号セレクタから出力された映像信号の暗号を復号して出力する映像復号回路とを備えており、
前記送信制御情報通信手段は、送信する映像信号の映像フォーマット情報を出力し、
前記受信制御情報通信手段は、受信した前記映像フォーマット情報を、前記複数の暗号復号処理回路に出力し、
前記複数の暗号復号処理回路における前記擬似信号生成回路は、前記映像フォーマット情報に基づいて、前記擬似映像信号を生成する
ことを特徴とする映像表示システム。
【請求項２３】
請求項２２記載の映像表示システムにおいて、
前記擬似信号生成回路は、
前記入力処理回路から出力された映像信号のタイミング情報を取得するタイミング検出回路と、
前記タイミング検出回路から出力されたタイミング情報を、前記入力選択情報に基づいて記憶し、タイミング情報が記憶されていることを示す格納状態信号を出力するタイミング情報保持回路と、
前記入力処理回路から出力された映像信号に含まれる暗号制御情報を取得し、前記入力選択情報に基づいて記憶する暗号制御情報保持回路と、
前記暗号制御情報保持回路から出力された暗号制御情報と、前記タイミング情報保持回路から出力されたタイミング情報とに基づいて、前記擬似映像信号を生成する映像信号生成回路と、
予め決められた複数の映像パラメータ情報を格納した映像パラメータ格納メモリと、
前記映像パラメータ格納メモリから前記映像フォーマット情報に対応する前記映像パラメータ情報を読み出し、映像信号を生成する第２の映像信号生成回路と、
前記格納状態信号に基づいて、前記映像信号生成回路から出力された擬似映像信号と前記第２の映像信号生成回路から出力された映像信号とのうちいずれか１つを選択して、出力する第３の映像信号セレクタとを備えたものである
ことを特徴とする映像表示システム。
【発明の詳細な説明】
【技術分野】
【０００１】
本発明は、複数のデジタル映像信号を入力して、入力されたデジタル映像信号のいずれか１つを選択して出力する映像入力装置に関する。
【背景技術】
【０００２】
近年、デジタル映像信号を非圧縮で伝送できるＨＤＭＩ(High-Definition Multimedia Interface)規格に準拠したインターフェースを搭載した映像再生機器が急速に普及してきている。それに伴い、デジタル映像信号を受信するＴＶ等の映像受信機器でもＨＤＭＩインターフェースの搭載が進み、映像受信機器で２つ以上のＨＤＭＩインターフェースを実装した機器が増えている。またＨＤＭＩでは不正コピーを防止するための技術としてＨＤＣＰ(High-bandwidth Digital Contents Protection)を採用することにより、認証に成功した機器間でのみデジタル映像信号の送受信を可能にしている。【０００３】
２つ以上の複数のＨＤＭＩインターフェースを搭載した映像受信機器の場合、リモコン等の操作によりＨＤＭＩポートを切り替えて、選択されたＨＤＭＩポートで受信した映像をモニタに表示する。従来の映像受信機器では、選択されたＨＤＭＩポートのHot Plug Detectをアクティブにすることで選択されたＨＤＭＩポートに接続された映像再生機器をアクティブにし、映像を受信するが、選択されていないＨＤＭＩポートについてはHot Plug Detectが非アクティブな状態になっている。つまりリモコン等でＨＤＭＩポートを切り替えた場合には、選択されたポートではHot Plug Detectが非アクティブな状態からアクティブな状態に遷移し、映像再生機器側で初期化が実行され、さらにＨＤＣＰの認証処理を経て、映像信号の出力に至る。ＨＤＭＩポートを切り替えた時には選択されたＨＤＭＩポートに接続された映像再生機器は初期化から実行しなおす必要があるため、ポート切替時の出画時間が遅くなってしまう。そのためＨＤＭＩポートを切り替えた時の出画時間を短縮するためには映像再生機器の初期化を省く必要があるが、映像再生機器の初期化を省略するためには、非選択のＨＤＭＩポートについてもHot Plug Detectをアクティブな状態にする必要がある。しかしながら、従来の映像受信機器の場合、ＨＤＣＰの認証処理を実行する回路が１つであるため、選択しているＨＤＭＩポート側のＨＤＣＰ認証処理の実行のみ可能であり、未選択のＨＤＭＩポートのＨＤＣＰ認証処理は不可能なため、非選択のＨＤＭＩポートのHot Plug Detectをアクティブな状態にしたとしてもＨＤＣＰの認証が実行できない。その結果、ＨＤＭＩポートを切り替える際には、ＨＤＣＰの認証処理から必要になり出画時間を短縮することはできなかった。【０００４】
このような、映像データを受信するＨＤＭＩポートの切り替え時の出画時間を改善する方法として、例えば特許文献１に記載の映像受信装置が提案されている。【０００５】
図３７は特許文献１に記載の映像受信装置の構成例である。図３７の映像受信装置は、所定数（ここでは２個）のＨＤＭＩポート００３，００４毎に、各ＨＤＭＩポート００３，００４に接続された外部機器００１，００２との間で認証処理をそれぞれ行う認証ＩＣ００９，０１０を備え、デジタル放送受信機のＭＰＵ００５は、リモコン００６を介して受付けられた操作入力に基づいて、１つのＨＤＭＩポート００３（００４）を映像入力端子として選択する端子選択部０１４と、選択された１つのＨＤＭＩポートを介して接続された外部機器００１（００２）から、対応する認証ＩＣ００９（０１０）を介して映像情報を受信する映像受信部０１５と、受信された映像情報をディスプレイ００８に出力する表示制御部０１６と、を備えている。【０００６】
外部機器００１，００２と図３７の映像受信装置の間では、ＨＤＣＰ方式で暗号化された映像信号が送受信され、受信した映像信号は認証ＩＣ００９，０１０を介して入力される。認証ＩＣ００９，０１０はＨＤＭＩポート００３，００４毎にＨＤＣＰの認証を行うためのものであり、接続判定部０１２で各ＨＤＭＩポート００３，００４に外部機器が接続されているか否かを判定し、外部機器が接続されていると判定された場合には、外部機器が判定されたＨＤＭＩポート００３または００４に対応する認証ＩＣ００９または０１０によって外部機器との間で認証処理が実行される。このように、認証処理を各ＨＤＭＩポートに独立に実行することにより、モニタ表示までの待ち時間を低減することが可能となる。
【先行技術文献】
【特許文献】
【０００７】
【特許文献１】特開２００８−３０６２３２号公報
【発明の概要】
【発明が解決しようとする課題】
【０００８】
上記従来の映像受信装置により、表示対象のＨＤＭＩポートを切り替えたときのモニタ表示までの待ち時間を低減することが可能となる。【０００９】
しかしながら、特許文献１の映像受信装置では、実装コストおよび消費電力が増大する可能性がある。図３７の映像受信装置では、ＨＤＭＩポート００３，００４から入力された映像信号は、ＨＤＭＩポート毎の認証処理を実行する認証ＩＣ００９，０１０に入力され、該当ポートのＨＤＣＰの認証処理が実行される。このときＨＤＭＩポート００３（００４）に入力されたデジタル信号は、ＨＤＭＩポート００３（００４）でＨＤＭＩ規格に準拠したシリアル−パラレル変換処理等の信号処理を実行することによって、映像信号を復号することになる。すなわち、実装されたＨＤＭＩポート数（ここでは２個）分だけシリアル−パラレル変換等のデコード処理を施す回路が必要になり、これにより、実装コストと消費電力が大幅に増大してしまう。【００１０】
本発明は、映像入力装置において、実装コストや消費電力を増大させることなく、表示対象のデジタル映像信号を切り替えたときの表示までの待ち時間を低減可能にすることを目的とする。
【課題を解決するための手段】
【００１１】
本発明の第１態様は、暗号化された映像信号から得られた、所定のデジタルインターフェース規格に準拠したデジタル信号を受信する、２以上の所定数の受信インターフェース手段を有し、前記所定数の受信インターフェース手段を介して受信したデジタル信号のうちいずれか１つを選択し、復号化して出力する映像入力装置であって、
前記所定数の受信インターフェース手段のうちいずれか１つを選択するための入力選択情報を出力する入力選択回路と、
前記入力選択情報に基づいて、前記所定数の受信インターフェース手段を介して入力されたデジタル信号のうちいずれか１つを選択して出力する入力信号セレクタと、
前記入力信号セレクタから出力されたデジタル信号をデコード処理して、映像信号を出力する入力処理回路と、
前記所定数の受信インターフェース手段毎に設けられており、前記入力処理回路から出力された映像信号の暗号を復号して出力するとともに、暗号の認証鍵を生成して当該受信インターフェース手段に送る、複数の暗号復号処理回路と、
前記入力選択情報に基づいて、前記複数の暗号復号処理回路からそれぞれ出力された映像信号のうちいずれか１つを選択して出力する映像信号セレクタとを備え、
前記複数の暗号復号処理回路は、それぞれ、
前記入力処理回路から出力された映像信号から情報を抽出し、この抽出した情報に基づいて、擬似映像信号を生成して出力する擬似信号生成回路と、
前記入力選択情報に基づいて、前記入力処理回路から出力された映像信号と前記擬似信号生成回路から出力された擬似映像信号のうちのいずれか１つを選択して出力する第２の映像信号セレクタと、
前記第２の映像信号セレクタから出力された映像信号に基づいて、認証鍵を生成して出力する認証鍵生成回路と、
前記第２の映像信号セレクタから出力された映像信号の暗号を復号して出力する映像復号回路とを備えたものである。【００１２】
この第１の態様によると、受信インターフェース手段毎に設けられた暗号復号処理回路は、擬似映像信号を生成出力する擬似信号生成回路を備えている。このため、入力選択情報によって選択されなかった受信インターフェース手段に対応する暗号復号処理回路において、擬似映像信号を用いて、認証を継続することが可能になる。これにより、入力選択情報によって受信インターフェース手段が切り替えられた時に、再認証を実行する必要がなくなるので、モニタに映像が出画されるまでの時間を短縮することが可能となる。【００１３】
本発明の第２態様は、暗号化された映像信号から得られた、所定のデジタルインターフェース規格に準拠したデジタル信号を受信する、３以上の所定数の受信インターフェース手段を有し、前記所定数の受信インターフェース手段を介して受信したデジタル信号のうちいずれか１つを選択し、復号化して外部出力する映像入力装置であって、
前記所定数の受信インターフェース手段のうちいずれか１つを選択するための出力選択情報を出力する出力映像選択回路と、
前記所定数の受信インターフェース手段のうちいずれか１つを選択するための入力選択情報を出力する入力選択回路と、
前記出力選択情報に基づいて、前記所定数の受信インターフェース手段を介して入力されたデジタル信号のうちいずれか１つを選択して出力する第１の入力信号セレクタと、
前記入力選択情報に基づいて、前記所定数の受信インターフェース手段を介して入力されたデジタル信号のうちいずれか１つを選択して出力する第２の入力信号セレクタと、
前記第１の入力信号セレクタから出力されたデジタル信号をデコード処理して、映像信号を出力する第１の入力処理回路と、
前記第２の入力信号セレクタから出力されたデジタル信号をデコード処理して、映像信号を出力する第２の入力処理回路と、
前記所定数の受信インターフェース手段毎に設けられており、前記第１または第２の入力処理回路から出力された映像信号の暗号を復号して出力するとともに、暗号の認証鍵を生成して当該受信インターフェース手段に送る、複数の暗号復号処理回路と、
前記出力選択情報に基づいて、前記複数の暗号復号処理回路からそれぞれ出力された映像信号のうちいずれか１つを選択して出力する映像信号セレクタとを備え、
前記複数の暗号復号処理回路は、それぞれ、
前記第１または第２の入力処理回路から出力された映像信号から情報を抽出し、この抽出した情報に基づいて、擬似映像信号を生成して出力する擬似信号生成回路と、
前記入力選択情報に基づいて、前記第２の入力処理回路から出力された映像信号と前記擬似信号生成回路から出力された擬似映像信号のうちのいずれか１つを選択して出力する第２の映像信号セレクタと、
前記出力選択情報に基づいて、前記第１の入力処理回路から出力された映像信号と前記第２の映像信号セレクタから出力された映像信号のうちのいずれか１つを選択して出力する第３の映像信号セレクタと、
前記第３の映像信号セレクタから出力された映像信号に基づいて、認証鍵を生成して出力する認証鍵生成回路と、
前記第３の映像信号セレクタから出力された映像信号の暗号を復号して出力する映像復号回路とを備えたものである。【００１４】
この第２の態様によると、各暗号復号処理回路は、対応する受信インターフェース手段が、出力選択情報によって選択されていない状態でも、入力選択情報によって選択されているときには、当該受信インターフェース手段で受信されたデジタル信号をデコード処理した映像信号に対して、暗号復号処理を実行することが可能である。また、各暗号復号処理回路は、対応する受信インターフェース手段が出力選択情報にも入力選択情報にも選択されていない場合には、擬似信号生成回路によって生成された擬似映像信号を用いて、認証を継続することが可能になる。これにより、出力選択情報によって受信インターフェース手段が切り替えられた時に、再認証を実行する必要がなくなるので、モニタに映像が出画されるまでの時間を短縮することが可能となる。【００１５】
本発明の第３態様は、暗号化された映像信号から得られた、所定のデジタルインターフェース規格に準拠したデジタル信号を受信する受信インターフェース手段と、伝送路から映像信号を受信する所定数の映像信号受信手段とを有し、前記受信インターフェース手段を介して受信したデジタル信号、および前記所定数の映像信号受信手段を介して受信した映像信号のうちいずれか１つを選択して出力する映像入力装置であって、
出力映像を選択するための出力選択情報を出力する出力選択回路と、
前記受信インターフェース手段を介して入力されたデジタル信号をデコード処理して、映像信号を出力する入力処理回路と、
前記出力選択情報に基づいて、前記入力処理回路をパワーダウン状態にするか否かを制御するための電力制御情報を出力する入力電力制御回路と、
前記入力処理回路から出力された映像信号の暗号を復号して出力するとともに、暗号の認証鍵を生成して前記受信インターフェース手段に送る暗号復号処理回路と、
前記所定数の映像信号受信手段毎に設けられており、受信信号に対して復号化処理等の信号処理を行い、映像信号を出力する受信信号処理回路と、
前記出力選択情報に基づいて、前記暗号復号処理回路から出力された映像信号と前記受信信号処理回路から出力された映像信号とのうちいずれか１つを選択して出力する映像信号セレクタとを備え、
前記暗号復号処理回路は、
前記入力処理回路から出力された映像信号から情報を抽出し、この抽出した情報に基づいて、擬似映像信号を生成して出力する擬似信号生成回路と、
前記出力選択情報に基づいて、前記入力処理回路から出力された映像信号と前記擬似信号生成回路から出力された擬似映像信号とのうちいずれか１つを選択して出力する第２の映像信号セレクタと、
前記第２の映像信号セレクタから出力された映像信号に基づいて、認証鍵を生成して出力する認証鍵生成回路と、
前記第２の映像信号セレクタから出力された映像信号の暗号を復号して出力する映像復号回路とを備えたものである。【００１６】
この第３の態様によると、受信インターフェース手段に対して設けられた暗号復号処理回路は、擬似映像信号を生成出力する擬似信号生成回路を備えている。このため、出力選択情報によって、映像信号受信手段によって伝送路から受信された映像信号が選択されている場合であっても、暗号復号処理回路において、擬似映像信号を用いて、認証を継続することが可能になる。これにより、出力選択情報によって出力映像が切り替えられ、受信インターフェース手段によって受信されたデジタル信号から映像信号を生成出力する時に、再認証を実行する必要がなくなるので、モニタに映像が出画されるまでの時間を短縮することが可能になる。【００１７】
本発明の第４態様は、暗号化された映像信号から得られた、所定のデジタルインターフェース規格に準拠したデジタル信号を送信する１以上の所定数の映像再生装置と、前記所定数の映像再生装置から送信されたデジタル信号をそれぞれ受信する所定数の受信インターフェース手段を有し、前記所定数の受信インターフェース手段を介して受信したデジタル信号のうちいずれか１つを選択し、復号化して出力する映像表示装置と、からなる映像表示システムであって、
前記映像再生装置は、それぞれ、
デジタル映像信号を暗号化する暗号回路と、
前記暗号回路から出力されたデジタル映像信号に対して、外部出力するためのエンコード処理を行う出力制御回路と、
前記映像表示装置に対してデジタル信号を出力し、前記映像表示装置の認証鍵を入力し、制御情報を入出力する送信インターフェース手段と、
前記デジタル映像信号に基づいて暗号の認証鍵を生成し、前記送信インターフェース手段を介して入力された前記映像表示装置の認証鍵とを比較して、認証状態を確認する認証回路と、
前記送信インターフェース手段を介して制御情報を入出力する送信制御情報通信手段とを備えており、
前記映像表示装置は、
前記所定数の受信インターフェース手段を介して制御情報を入出力する受信制御情報通信手段と、
前記所定数の受信インターフェース手段のうちいずれか１つを選択するための入力選択情報を出力する入力選択回路と、
前記入力選択情報に基づいて、前記所定数の受信インターフェース手段を介して入力されたデジタル信号のうちいずれか１つを選択して出力する入力信号セレクタと、
前記入力信号セレクタから出力されたデジタル信号をデコード処理して、映像信号を出力する入力処理回路と、
前記所定数の受信インターフェース手段毎に設けられており、前記入力処理回路から出力された映像信号の暗号を復号して出力するとともに、暗号の認証鍵を生成して当該受信インターフェース手段に送る、複数の暗号復号処理回路と、
前記入力選択情報に基づいて、前記複数の暗号復号処理回路からそれぞれ出力された映像信号のうちいずれか１つを選択して出力する映像信号セレクタとを備え、
前記複数の暗号復号処理回路は、それぞれ、
前記入力処理回路から出力された映像信号から情報を抽出し、この抽出した情報に基づいて、擬似映像信号を生成して出力する擬似信号生成回路と、
前記入力選択情報に基づいて、前記入力処理回路から出力された映像信号と前記擬似信号生成回路から出力された擬似映像信号とのうちのいずれか１つを選択して出力する第２の映像信号セレクタと、
前記第２の映像信号セレクタから出力された映像信号に基づいて、認証鍵を生成して出力する認証鍵生成回路と、
前記第２の映像信号セレクタから出力された映像信号の暗号を復号して出力する映像復号回路とを備えており、
前記送信制御情報通信手段は、送信する映像信号の映像フォーマット情報を出力し、
前記受信制御情報通信手段は、受信した前記映像フォーマット情報を前記複数の暗号復号処理回路に出力し、
前記複数の暗号復号処理回路における前記擬似信号生成回路は、前記映像フォーマット情報に基づいて、前記擬似映像信号を生成するものである。【００１８】
この第４の態様によると、映像表示装置において、受信インターフェース手段毎に設けられた暗号復号処理回路は、擬似映像信号を生成出力する擬似信号生成回路を備えている。このため、入力選択情報によって選択されなかった受信インターフェース手段に対応する暗号復号処理回路において、擬似映像信号を用いて、認証を継続することが可能になる。これにより、入力選択情報によって受信インターフェース手段が切り替えられた時に、再認証を実行する必要がなくなるので、モニタに映像が出画されるまでの時間を短縮することが可能となる。
【発明の効果】
【００１９】
本発明によると、低コスト、低消費電力な構成で、複数のデジタル映像信号等のうちいずれか１つを選択して外部出力する際の、表示までの待ち時間を低減することができる。
【図面の簡単な説明】
【００２０】
【図１】実施の形態１の映像入力装置の構成例を示すブロック図である。
【図２】実施の形態１の映像入力装置の擬似信号生成回路の構成例を示すブロック図である。
【図３】実施の形態１の映像入力装置の擬似信号生成回路の動作を説明するためのタイミング図である。
【図４】実施の形態１の映像入力装置の表示対象のＨＤＭＩポートを切り替えた時の各構成回路の状態変化を説明するためのタイミング図である。
【図５】実施の形態１の映像入力装置の表示対象のＨＤＭＩポートを切り替えた時の認証鍵生成回路の状態変化を説明するためのタイミング図である。
【図６】実施の形態２の映像入力装置の構成例を示すブロック図である。
【図７】実施の形態２の映像入力装置の擬似信号生成回路の構成例を示すブロック図である。
【図８】実施の形態２の映像入力装置の擬似信号生成回路の動作を説明するためのタイミング図である。
【図９】実施の形態２の映像入力装置の表示対象のＨＤＭＩポートを切り替えた時の各構成回路の状態変化を説明するためのタイミング図である。
【図１０】実施の形態３の映像入力装置の構成例を示すブロック図である。
【図１１】実施の形態３の映像入力装置のＨＤＣＰ処理回路の構成例を示すブロック図である。
【図１２】実施の形態３の映像入力装置の擬似信号生成回路の動作を説明するためのタイミング図である。
【図１３】実施の形態３の映像入力装置の表示対象のＨＤＭＩポートを切り替えた時の各構成回路の状態変化を説明するためのタイミング図である。
【図１４】実施の形態３の映像入力装置の表示対象のＨＤＭＩポートを切り替えた時の各構成回路の状態変化を説明するためのタイミング図である。
【図１５】実施の形態３の映像入力装置の表示対象のＨＤＭＩポートを切り替えた時の認証鍵生成回路の状態変化を説明するためのタイミング図である。
【図１６】実施の形態４の映像入力装置の構成例を示すブロック図である。
【図１７】実施の形態４の映像入力装置のＨＤＣＰ処理回路の構成例を示すブロック図である。
【図１８】実施の形態４の映像入力装置の擬似信号生成回路の動作を説明するためのタイミング図である。
【図１９】実施の形態４の映像入力装置の擬似信号生成回路の動作を説明するためのタイミング図である。
【図２０】実施の形態４の映像入力装置の表示対象のＨＤＭＩポートを切り替えた時の各構成回路の状態変化を説明するためのタイミング図である。
【図２１】実施の形態４の映像入力装置の入力選択回路の動作を説明するためのタイミング図である。
【図２２】実施の形態５の映像入力装置の構成例を示すブロック図である。
【図２３】実施の形態５の映像入力装置の擬似信号生成回路の構成例を示すブロック図である。
【図２４】実施の形態５の映像入力装置の擬似信号生成回路の動作を説明するためのタイミング図である。
【図２５】実施の形態５の映像入力装置の表示対象の入力ポートを切り替えた時の各構成回路の状態変化を説明するためのタイミング図である。
【図２６】実施の形態５の映像入力装置の表示対象の入力ポートを切り替えた時の認証鍵生成回路の状態変化を説明するためのタイミング図である。
【図２７】実施の形態６の映像入力装置の構成例を示すブロック図である。
【図２８】実施の形態６の映像入力装置の擬似信号生成回路の構成例を示すブロック図である。
【図２９】実施の形態６の映像入力装置の擬似信号生成回路の動作を説明するためのタイミング図である。
【図３０】実施の形態６の映像入力装置の表示対象の入力ポートを切り替えた時の各構成回路の状態変化を説明するためのタイミング図である。
【図３１】実施の形態６の映像入力装置の表示対象の入力ポートを切り替えた時の認証鍵生成回路の状態変化を説明するためのタイミング図である。
【図３２】実施の形態７の映像表示システムの構成例を示すブロック図である。
【図３３】実施の形態７の映像表示システムの映像表示装置のＨＤＣＰ処理回路の構成例を示すブロック図である。
【図３４】実施の形態７の映像表示システムの映像表示装置の擬似信号生成回路の動作を説明するためのタイミング図である。
【図３５】実施の形態７の映像表示システムの映像表示装置の映像信号生成回路の動作を説明するためのタイミング図である。
【図３６】実施の形態７の映像表示システムの映像表示装置の表示対象の入力ポートを切り替えた時の動作を説明するためのタイミング図である。
【図３７】従来の映像受信装置の構成例を示すブロック図である。
【発明を実施するための形態】
【００２１】
以下、本発明の実施の形態について、図面を参照しながら説明する。
【００２２】
（実施の形態１）
図１は実施の形態１に係る映像入力装置の構成例を示す。図１において、１０１，１０２は受信インターフェース手段としてのＨＤＭＩポート、１０３は入力選択回路、１０４は接続検出回路、１０５は入力信号セレクタ、１０６は入力処理回路、１０７，１０８は暗号復号処理回路としてのＨＤＣＰ処理回路、１０９は映像信号セレクタ、１１０はモニタである。またＨＤＣＰ処理回路１０７（１０８）には、擬似信号生成回路１１１（１１５）、映像信号セレクタ１１２（１１６）、映像復号回路としてのＨＤＣＰ復号回路１１３（１１７）、および認証鍵生成回路１１４（１１８）が含まれる。
【００２３】
ＨＤＭＩポート１０１，１０２は、外部機器とＨＤＭＩケーブルを介して接続するためのポートであり、デジタル映像信号の受信と、外部機器との間でＨＤＣＰ関連情報（認証鍵を含む）の書き込みまたは読み出しを行うためのポートである。ＨＤＭＩポート１０１（１０２）から受信したデジタル信号はデジタル信号Ｓ１０１（Ｓ１０２）として出力され、受信したデジタル信号に含まれるクロック信号はクロック信号ＣＫ１０１（ＣＫ１０２）として出力される。入力選択回路１０３は、ＨＤＭＩポート１０１，１０２から受信した映像信号のうち一方を選択するための入力選択情報Ｃ１０１を出力する。入力信号セレクタ１０５は、入力選択情報Ｃ１０１に基づいて、ＨＤＭＩポート１０１，１０２から受信したデジタル信号Ｓ１０１、Ｓ１０２のうち一方を選択してデジタル信号Ｓ１０３として出力する。接続検出回路１０４は、ＨＤＭＩポート１０１，１０２のそれぞれに外部機器が接続されているか否かを示す信号Ｈ１０１，Ｈ１０２を入力し、ＨＤＭＩポート１０１，１０２のそれぞれの接続状態を検出し、ポート接続情報Ｃ１０２を出力する。
【００２４】
入力処理回路１０６は、入力されたデジタル信号Ｓ１０３に対してＨＤＭＩ規格に準拠したシリアル−パラレル変換処理を行い、映像信号Ｖ１０１を出力する。また入力処理回路１０６は、ポート接続情報Ｃ１０２と入力選択情報Ｃ１０１の状態に応じてパワーダウン状態に入ることができる。ＨＤＣＰ処理回路１０７（１０８）は、映像信号Ｖ１０１に施された暗号を復号化して映像信号Ｖ１０２（Ｖ１０３）を出力し、またＨＤＣＰの認証に必要な認証鍵Ｋ１０１（Ｋ１０２）を生成し出力する。映像信号セレクタ１０９は、入力選択情報Ｃ１０１に基づいて、ＨＤＣＰ処理回路１０７，１０８で暗号を復号化して出力された映像信号Ｖ１０２，Ｖ１０３のうち一方を選択して映像信号Ｖ１０４として出力する。モニタ１１０は、入力された映像信号Ｖ１０４を表示する。
【００２５】
次に、ＨＤＣＰ処理回路１０７（１０８）内部の回路について説明する。擬似信号生成回路１１１（１１５）は、映像信号Ｖ１０１とＨＤＭＩポート１０１（１０２）で受信したクロック信号ＣＫ１０１（ＣＫ１０２）に基づいて、擬似映像信号Ｖ１０５（Ｖ１０７）を生成し出力する。映像信号セレクタ１１２（１１６）は、対応するポートを入力選択情報Ｃ１０１が示しているときは映像信号Ｖ１０１を選択し、そうでないときは、擬似信号生成回路１１１（１１５）から出力される擬似映像信号Ｖ１０５（Ｖ１０７）を選択する。すなわち、映像信号セレクタ１１２は、入力選択情報Ｃ１０１がＨＤＭＩポート１０１（Ｐｏｒｔ０）を示しているときは映像信号Ｖ１０１を選択する一方、入力選択情報Ｃ１０１がＨＤＭＩポート１０２（Ｐｏｒｔ１）を示しているときは擬似映像信号Ｖ１０５を選択し、映像信号Ｖ１０６として出力する。映像信号セレクタ１１６は、入力選択情報Ｃ１０１がＰｏｒｔ１を示しているときは映像信号Ｖ１０１を選択する一方、入力選択情報Ｃ１０１がＰｏｒｔ０を示しているときは擬似映像信号Ｖ１０７を選択し、映像信号Ｖ１０８として出力する。
【００２６】
ＨＤＣＰ復号回路１１３（１１７）は、映像信号Ｖ１０６（Ｖ１０８）に対して暗号の復号化処理を施し、映像信号Ｖ１０２（Ｖ１０３）として出力する。認証鍵生成回路１１４（１１８）は、映像信号Ｖ１０６（Ｖ１０８）に基づいて認証鍵Ｋ１０１（Ｋ１０２）を生成し出力する。
【００２７】
ＨＤＣＰ復号回路１１３（１１７）は、入力選択情報Ｃ１０１がＰｏｒｔ１（Ｐｏｒｔ０）を示しているときにパワーダウン状態に遷移することができ、入力選択情報Ｃ１０１がＰｏｒｔ０（Ｐｏｒｔ１）を示しているときにパワーオン状態に遷移することができる。また、認証鍵生成回路１１４（１１８）は、入力選択情報Ｃ１０１がＰｏｒｔ１（Ｐｏｒｔ０）を示しているとき、映像信号Ｖ１０６（Ｖ１０８）のタイミングに基づいてパワーダウン状態またはパワーオン状態に遷移することができる。
【００２８】
図２は図１の擬似信号生成回路１１１（１１５）の構成例を示す。１２１はタイミング検出回路、１２２はタイミング情報保持回路、１２３は暗号制御情報保持回路、１２４は映像信号生成回路である。
【００２９】
タイミング検出回路１２１は、クロック信号ＣＫ１０１（ＣＫ１０２）に基づいて映像信号Ｖ１０１の動作タイミングを検出し、タイミング情報ＴＭ１０１を出力する。ここでのタイミング情報ＴＭ１０１には、映像信号Ｖ１０１に含まれる垂直同期信号（以下、ＶＳＹＮＣ）が立ち上がる時間を示すＶＳＹＮＣ立上り時間情報と、ＶＳＹＮＣが立ち下がる時間を示すＶＳＹＮＣ立下り時間情報とが含まれる。タイミング情報保持回路１２２は、入力選択情報Ｃ１０１に基づいて、タイミング情報ＴＭ１０１を保持し、タイミング情報ＴＭ１０２として出力する。暗号制御情報保持回路１２３は、入力選択情報Ｃ１０１に基づいて、映像信号Ｖ１０１に含まれる暗号制御情報（ＣＴＬ）を保持し、暗号制御情報Ｄ１０１として出力する。映像信号生成回路１２４は、クロック信号ＣＫ１０１（ＣＫ１０２）、タイミング情報ＴＭ１０１と暗号制御情報Ｄ１０１に基づいて映像信号を生成し、擬似映像信号Ｖ１０５（Ｖ１０７）として出力する。
【００３０】
タイミング情報保持回路１２２および暗号制御情報保持回路１２３は、対応するポートを入力選択情報Ｃ１０１が示しているときは、保持している情報を入力された情報によって更新していき、そうでないときは、保持している情報をそのまま保持し続ける。すなわち、擬似信号生成回路１１１（１１５）内のタイミング情報保持回路１２２および暗号制御情報保持回路１２３は、入力選択情報Ｃ１０１がＰｏｒｔ０（Ｐｏｒｔ１）を示しているときは、入力された情報を保持し、入力選択情報Ｃ１０１がＰｏｒｔ１（Ｐｏｒｔ０）を示しているときは、入力選択情報Ｃ１０１がＰｏｒｔ０（Ｐｏｒｔ１）を示していたときに保持した情報を保持し続ける。
【００３１】
図３は擬似信号生成回路１１１の動作を説明するためのタイミング図である。なお、擬似信号生成回路１１５の動作もこれと同様である。
【００３２】
入力選択情報Ｃ１０１がＰｏｒｔ０を示している状態で、タイミング検出回路１２１は、映像信号Ｖ１０１が入力されると、クロック信号ＣＫ１０１に同期して、映像信号Ｖ１０１に含まれるＶＳＹＮＣのタイミングを検出する。時間ｔ１０１において、ＶＳＹＮＣが立ち上がり、タイミング検出回路１２１は内部カウンタを動作させてタイミングの検出を開始する。時間ｔ１０２において、映像信号Ｖ１０１に含まれる暗号制御情報であるＣＴＬが任意の値「Ａ」に変化し、暗号制御情報保持回路１２３は、ＣＴＬが示す値「Ａ」を取り込み保持する。ＣＴＬの値は、ＶＳＹＮＣとの関係で予め決められたタイミングで取り込まれる。次に時間ｔ１０３において、ＶＳＹＮＣが立ち下がったため、この時のタイミング検出回路１２１の内部カウンタが示す値「ｍ」がタイミング情報ＴＭ１０１として出力され、タイミング情報保持回路１２２に、ＶＳＹＮＣ立下り時間情報として保持される。また時間ｔ１０４において、ＶＳＹＮＣが立ち上がったため、この時のタイミング検出回路１２１の内部カウンタが示す値「ｎ」がタイミング情報ＴＭ１０１として出力され、タイミング情報保持回路１２２に、ＶＳＹＮＣ立上り時間情報として保持される。またこの時、タイミング検出回路１２１の内部カウンタの値は、映像信号Ｖ１０１に含まれるＶＳＹＮＣの立ち上がりに同期して、「０」にクリアされている。
【００３３】
映像信号生成回路１２４は、タイミング情報保持回路１２２に保持されたタイミング情報ＴＭ１０２（ＶＳＹＮＣ立下り時間情報、ＶＳＹＮＣ立上り時間情報を含む）と、暗号制御情報保持回路１２３に保持された暗号制御情報（ＣＴＬ）と、クロック信号ＣＫ１０１とに基づいて、擬似映像信号Ｖ１０５を生成する。時間ｔ１０４においてＶＳＹＮＣ立上り時間情報が出力されたことによって、擬似映像信号Ｖ１０５を生成するための情報が集まったので、映像信号生成回路１２４は内部カウンタを動作させて、クロック信号ＣＫ１０１に同期して擬似映像信号Ｖ１０５の生成を開始する。時間ｔ１０５において、映像信号生成回路１２４は、暗号制御情報Ｄ１０１（ＣＴＬ）が示す値を、擬似映像信号Ｖ１０５に含まれるＣＴＬとして出力する。このＣＴＬの出力タイミングは、擬似映像信号Ｖ１０５に含まれるＶＳＹＮＣとの関係で予め決められている。時間ｔ１０６において、映像信号生成回路１２４のカウンタ値が、タイミング情報ＴＭ１０２に含まれるＶＳＹＮＣ立下り時間情報と一致したため、擬似映像信号Ｖ１０５に含まれるＶＳＹＮＣを立ち下げている。時間ｔ１０８において、映像信号生成回路１２４のカウンタ値が、タイミング情報ＴＭ１０２に含まれるＶＳＹＮＣ立上り時間情報と一致したため、擬似映像信号Ｖ１０５に含まれるＶＳＹＮＣを立ち上げている。また時間ｔ１０７において、入力選択情報Ｃ１０１がＰｏｒｔ０からＰｏｒｔ１に切り替わっており、この時間ｔ１０７以降は、タイミング情報保持回路１２２および暗号制御情報保持回路１２３に保持された情報はそのまま保持される。このため、時間ｔ１０７以降でも、擬似信号生成回路１１１は、一定のタイミングで動作する擬似映像信号Ｖ１０５を生成し続けることができる。
【００３４】
図４はモニタ出力するＨＤＭＩポートを切り替えた時の、各構成回路の状態変化を説明するためのタイミング図である。ここでは例としてＨＤＭＩポート１０１のＨＤＣＰ認証状態について説明する。
【００３５】
図４において、まず入力選択情報Ｃ１０１は「Ｐｏｒｔ０」を示している。時間ｔ１１１において、ＨＤＭＩポート１０１に外部機器が接続され、ＨＤＭＩポート１０１の接続状態を示す信号Ｈ１０１が「１」になり、外部機器からＨＤＭＩポート１０１を介してデジタル信号が入力される。入力信号セレクタ１０５は、入力選択情報Ｃ１０１が「Ｐｏｒｔ０」を示しているため、ＨＤＭＩポート１０１が出力するデジタル信号Ｓ１０１をデジタル信号Ｓ１０３として選択出力する。ＨＤＣＰ処理回路１０７には、入力処理回路１０６でシリアル−パラレル変換して得られた映像信号Ｖ１０１が入力される。入力された映像信号Ｖ１０１はＨＤＣＰ処理回路１０７で暗号の復号処理が施され、映像信号Ｖ１０２として出力される。映像信号セレクタ１０９は、入力選択情報Ｃ１０１が「Ｐｏｒｔ０」を示しているため、映像信号Ｖ１０２を映像信号Ｖ１０４として選択し、モニタ１１０に出力する。また時間ｔ１１１において、ＨＤＣＰの認証動作が開始され、認証鍵生成回路１１４によって生成される認証鍵Ｋ１０１の出力が開始される。時間ｔ１１１以降は、映像信号Ｖ１０６に含まれるＶＳＹＮＣに基づいて認証鍵Ｋ１０１を更新しながら、認証状態が継続される。
【００３６】
時間ｔ１１２において、擬似信号生成回路１１１が擬似映像信号Ｖ１０５の出力を開始している。時間ｔ１１３において、入力選択情報Ｃ１０１が「Ｐｏｒｔ０」から「Ｐｏｒｔ１」に変化している。入力選択情報Ｃ１０１が「Ｐｏｒｔ１」に変化したことによって、入力信号セレクタ１０５は、ＨＤＭＩポート１０２が出力するデジタル信号Ｓ１０２をデジタル信号Ｓ１０３として選択出力する。このため、入力処理回路１０６から出力される映像信号Ｖ１０１に含まれるＶＳＹＮＣの周期が、時間ｔ１１３以降で変化している。ところが、入力選択情報Ｃ１０１が「Ｐｏｒｔ１」に切り替えられたことによって、映像信号セレクタ１１２は擬似映像信号Ｖ１０５を映像信号Ｖ１０６として出力するため、映像信号Ｖ１０６のＶＳＹＮＣ周期は時間ｔ１１３以降も変わらず、同じままである。これにより、時間ｔ１１３において入力選択情報Ｃ１０１が切り替えられてからも、ＨＤＣＰの認証も継続させることが可能となっている。また入力選択情報Ｃ１０１が「Ｐｏｒｔ１」に変化したことによって、ＨＤＣＰ復号回路１１３はパワーダウン状態に遷移している。また時間ｔ１１３以降では、入力選択情報Ｃ１０１が「Ｐｏｒｔ１」を示しているため、入力信号セレクタ１０５および映像信号セレクタ１０９がＰｏｒｔ１側に切り替えられる。これにより、モニタ１１０にはＨＤＭＩポート１０２（Ｐｏｒｔ１）から受信した映像信号が出力される。
【００３７】
時間ｔ１１４において、ＨＤＭＩポート１０２の外部機器との接続が断たれ、信号Ｈ１０２が「０」になり、デジタル信号Ｓ１０２が停止する。入力処理回路１０６は、入力選択情報Ｃ１０１が「Ｐｏｒｔ１」を示しており、かつポート接続情報Ｃ１０２からＨＤＭＩポート１０２が未接続状態であることが分かるため、パワーダウン状態に遷移する。時間ｔ１１５において、入力選択情報Ｃ１０１が再度「Ｐｏｒｔ０」に変化したことによって、入力信号セレクタ１０５はデジタル信号Ｓ１０１をデジタル信号Ｓ１０３として選択出力する。入力処理回路１０６はデジタル信号Ｓ１０３をシリアル−パラレル変換して映像信号Ｖ１０１を出力し、映像信号セレクタ１１２は映像信号Ｖ１０１を映像信号Ｖ１０６として選択出力する。これにより、映像信号Ｖ１０６のＶＳＹＮＣ周期は変化せず、ＨＤＣＰの認証状態が継続される。
【００３８】
また時間ｔ１１５において、入力選択情報Ｃ１０１が再度「Ｐｏｒｔ０」に変化したことによって、入力処理回路１０６は、入力選択情報Ｃ１０１が「Ｐｏｒｔ０」を示しており、かつポート接続情報Ｃ１０２からＨＤＭＩポート１０１が接続状態であることが分かるため、パワーオン状態に遷移する。またＨＤＣＰ復号回路１１３は、入力選択情報Ｃ１０１が「Ｐｏｒｔ０」に変化したことによって、パワーオン状態に遷移する。
【００３９】
このように本実施形態によると、擬似信号生成回路１１１で擬似映像信号を生成することにより、入力選択情報Ｃ１０１が切り換えられ「Ｐｏｒｔ１」を示している状態でも、ＨＤＭＩポート１０１（Ｐｏｒｔ０）側のＨＤＣＰの認証は継続される。このため、入力選択情報Ｃ１０１が再度「Ｐｏｒｔ０」に切り替えられた時に再認証を実行する必要がなくなり、モニタ１１０に映像が出画されるまでの時間を短縮することが可能となる。擬似信号生成回路１１５に関しても同様のことがいえる。
【００４０】
図５は映像信号Ｖ１０６に含まれるＶＳＹＮＣの変化と、認証鍵生成回路１１４から生成される認証鍵Ｋ１０１の変化と、認証鍵生成回路１１４の状態変化とを示したタイミング図である。ここでは例としてＨＤＣＰ処理回路１０７の動作について説明するが、ＨＤＣＰ回路１０８の動作も同様である。認証鍵生成回路１１４は、映像信号Ｖ１０６に基づいて認証鍵を生成する。具体的には映像信号Ｖ１０６のＶＳＹＮＣに基づいて認証鍵を演算し、また映像信号Ｖ１０６に含まれるＶＳＹＮＣをカウントし、１２８フレームに一度、演算して得られた認証鍵を認証鍵Ｋ１０１として出力する。入力選択情報Ｃ１０１が「Ｐｏｒｔ０」を示している間は、入力された映像信号Ｖ１０６のＶＳＹＮＣに同期して認証鍵の演算を行う。時間ｔ１２１に入力選択情報Ｃ１０１が「Ｐｏｒｔ１」に切り替えられてからは、認証鍵生成回路１１４は１２８フレーム分の認証鍵の演算を即座に実行し、１２８フレーム分の演算が終了した段階（時間ｔ１２２）でパワーダウン状態に遷移する。その後映像信号Ｖ１０６のＶＳＹＮＣのカウント数が１２８フレームとなったとき（時間ｔ１２３）にパワーオン状態に再び遷移し、演算した認証鍵を認証鍵Ｋ１０１として出力し、次の１２８フレーム分の認証鍵の演算を開始する。このように入力選択情報Ｃ１０１が「Ｐｏｒｔ１」を示しているときには、認証鍵生成回路１１４を間欠的に動作させることによって消費電力の低減が可能となる。
【００４１】
（実施の形態２）
図６は実施の形態２に係る映像入力装置の構成例を示す。図６において、図１と共通の構成要素には図１と同一の符号を付しており、ここではその詳細な説明を省略する。図６の構成では、図１の構成と対比すると、一定の周期で発振するクロック信号ＣＫ１３１を出力する発振器１３１が設けられており、擬似信号生成回路１１１（１１５）は、ＨＤＭＩポート１０１（１０２）から出力されたクロック信号ＣＫ１０１（ＣＫ１０２）に代えて、クロック信号ＣＫ１３１を受けている。また、接続検出回路１０４が省かれている。
【００４２】
図７は図６の擬似信号生成回路１１１（１１５）の構成例を示す。図７において、図２と共通の構成要素には図２と同一の符号を付しており、ここではその詳細な説明を省略する。図２の構成と対比すると、タイミング検出回路１２１および映像信号生成回路１２４に、発振器１３１から出力されたクロック信号ＣＫ１３１が与えられる点が異なっている。それ以外は、図２の構成と同様である。
【００４３】
図８は擬似信号生成回路１１１の動作を説明するためのタイミング図である。クロック信号ＣＫ１３１が用いられている以外は、図３に示した動作と同様であるため、ここではその詳細な説明を省略する。なお、擬似信号生成回路１１５の動作もこれと同様である。
【００４４】
図９はモニタ出力するＨＤＭＩポートを切り替えた時の、各構成回路の状態変化を説明するためのタイミング図である。ここでは例としてＨＤＭＩポート１０１のＨＤＣＰ認証状態について説明する。
【００４５】
図９において、まず入力選択情報Ｃ１０１は「Ｐｏｒｔ０」を示している。時間ｔ１４１において、ＨＤＭＩポート１０１に外部機器が接続され、ＨＤＭＩポート１０１の接続状態を示す信号Ｈ１０１が「１」になり、外部機器からＨＤＭＩポート１０１を介してデジタル信号が入力される。入力信号セレクタ１０５は、入力選択情報Ｃ１０１が「Ｐｏｒｔ０」を示しているため、ＨＤＭＩポート１０１が出力するデジタル信号Ｓ１０１をデジタル信号Ｓ１０３として選択出力する。ＨＤＣＰ処理回路１０７には、入力処理回路１０６でシリアル−パラレル変換して得られた映像信号Ｖ１０１が入力される。入力された映像信号Ｖ１０１はＨＤＣＰ処理回路１０７で暗号の復号処理が施され、映像信号Ｖ１０２として出力される。映像信号セレクタ１０９は、入力選択情報Ｃ１０１が「Ｐｏｒｔ０」を示しているため、映像信号Ｖ１０２を映像信号Ｖ１０４として選択し、モニタ１１０に出力する。また時間ｔ１４１において、ＨＤＣＰの認証動作が開始され、認証鍵生成回路１１４によって生成される認証鍵Ｋ１０１の出力が開始される。時間ｔ１４１以降は、映像信号Ｖ１０６に含まれるＶＳＹＮＣに基づいて認証鍵Ｋ１０１を更新しながら、認証状態が継続される。
【００４６】
時間ｔ１４２において、擬似信号生成回路１１１から擬似映像信号Ｖ１０５の出力を開始している。時間ｔ１４３において、入力選択情報Ｃ１０１が「Ｐｏｒｔ０」から「Ｐｏｒｔ１」に変化している。入力選択情報Ｃ１０１が「Ｐｏｒｔ１」に変化したことによって、入力信号セレクタ１０５は、ＨＤＭＩポート１０２が出力するデジタル信号Ｓ１０２をデジタル信号Ｓ１０３として選択出力する。このため、入力処理回路１０６から出力される映像信号Ｖ１０１に含まれるＶＳＹＮＣの周期が、時間ｔ１４３以降で変化している。ところが、入力選択情報Ｃ１０１が「Ｐｏｒｔ１」に切り替えられたことによって、映像信号セレクタ１１２は擬似映像信号Ｖ１０５を映像信号Ｖ１０６として出力するため、映像信号Ｖ１０６のＶＳＹＮＣ周期は時間ｔ１４３以降も変わらず、同じままである。これにより、時間ｔ１４３で入力選択情報Ｃ１０１が切り替えられてからも、ＨＤＣＰの認証も継続させることが可能となっている。また時間ｔ１４３以降では入力選択情報Ｃ１０１が「Ｐｏｒｔ１」を示しているため、入力信号セレクタ１０５および映像信号セレクタ１０９がＰｏｒｔ１側に切り替えられる。これにより、モニタ１１０にはＨＤＭＩポート１０２（Ｐｏｒｔ１）から受信した映像信号が出力される。
【００４７】
時間ｔ１４４において、入力選択情報Ｃ１０１が再度「Ｐｏｒｔ０」に変化したことによって、入力信号セレクタ１０５はデジタル信号Ｓ１０１をデジタル信号Ｓ１０３として選択出力する。入力処理回路１０６はデジタル信号Ｓ１０３をシリアル−パラレル変換して映像信号Ｖ１０１を出力し、映像信号セレクタ１１２は映像信号Ｖ１０１を映像信号Ｖ１０６として選択出力する。これにより、映像信号Ｖ１０６のＶＳＹＮＣ周期は変化せず、ＨＤＣＰの認証状態が継続される。
【００４８】
このように本実施形態によると、擬似信号生成回路１１１で擬似映像信号を生成することにより、入力選択情報Ｃ１０１が切り換えられ「Ｐｏｒｔ１」を示している状態でも、ＨＤＭＩポート１０１（Ｐｏｒｔ０）側のＨＤＣＰの認証は継続される。このため、再度入力選択情報Ｃ１０１が「Ｐｏｒｔ０」に切り替えられた時に再認証を実行する必要がなくなり、モニタ１１０に映像が出画されるまでの時間を短縮することが可能となる。擬似信号生成回路１１５に関しても同様のことがいえる。
【００４９】
さらに、本実施形態では、発振器１３１が出力するクロック信号ＣＫ１３１の周期を許容できる範囲で長くする（周波数を下げる）ことによって、擬似信号生成回路１１１、１１５の動作周波数を抑えることができ、消費電力の低減が可能となる。特に、ＨＤＭＩポート１０１，１０２で受信して出力されるクロック信号ＣＫ１０１，ＣＫ１０２の周波数が高い場合に、効果的である。
【００５０】
（実施の形態３）
図１０は実施の形態３に係る映像入力装置の構成例を示す。図１０において、２０１，２０２，２０３は受信インターフェース手段としてのＨＤＭＩポート、２０４は出力映像選択回路、２０５は入力選択回路、２０６，２０７は第１および第２の入力信号セレクタ、２０８，２０９は第１および第２の入力処理回路、２１０は接続検出回路、２１１，２１２，２１３は暗号復号処理回路としてのＨＤＣＰ処理回路、２１４は映像信号セレクタ、２１５はモニタである。
【００５１】
ＨＤＭＩポート２０１，２０２，２０３は外部機器とＨＤＭＩケーブルを介して接続するためのポートであり、デジタル映像信号の受信と、外部機器との間でＨＤＣＰ関連情報（認証鍵を含む）の書き込みまたは読み出しを行うためのポートである。ＨＤＭＩポート２０１（２０２，２０３）から受信したデジタル信号はデジタル信号Ｓ２０１（Ｓ２０２，Ｓ２０３）として出力され、受信したデジタル信号に含まれるクロック信号はクロック信号ＣＫ２０１（ＣＫ２０２，ＣＫ２０３）として出力される。出力映像選択回路２０４は、ＨＤＭＩポート２０１，２０２，２０３から受信した映像信号のうちいずれか１つを選択するための出力選択情報Ｃ２０１を出力する。入力選択回路２０５は、ＨＤＭＩポート２０１，２０２，２０３から受信した映像信号のうち一方を選択するための入力選択情報Ｃ２０２を出力する。入力信号セレクタ２０６（２０７）は、出力選択情報Ｃ２０１（入力選択情報Ｃ２０２）に基づいて、ＨＤＭＩポート２０１，２０２，２０３から受信したデジタル信号Ｓ２０１，Ｓ２０２，Ｓ２０３のうちいずれか１つを選択してデジタル信号Ｓ２０４（Ｓ２０５）として出力する。接続検出回路２１０は、ＨＤＭＩポート２０１，２０２，２０３のそれぞれに外部機器が接続されているか否かを示す信号Ｈ２０１，Ｈ２０２，Ｈ２０３を入力し、ＨＤＭＩポート２０１，２０２，２０３のそれぞれの接続状態を検出し、ポート接続情報Ｃ２０３を出力する。
【００５２】
入力処理回路２０８（２０９）は、入力されたデジタル信号Ｓ２０４（Ｓ２０５）に対してＨＤＭＩ規格に準拠したシリアル−パラレル変換処理を行い、映像信号Ｖ２０１（Ｖ２０２）を出力する。また入力処理回路２０８（２０９）は、ポート接続情報Ｃ２０３と出力選択情報Ｃ２０１（入力選択情報Ｃ２０２）の状態に応じてパワーダウン状態に入ることができる。ＨＤＣＰ処理回路２１１（２１２，２１３）は、映像信号Ｖ２０１，Ｖ２０２に施された暗号を復号化して映像信号Ｖ２０３（Ｖ２０４，Ｖ２０５）を出力し、またＨＤＣＰの認証に必要な認証鍵Ｋ２０１（Ｋ２０２，Ｋ２０３）を生成し出力する。映像信号セレクタ２１４は、出力選択情報Ｃ２０１に基づいて、ＨＤＣＰ処理回路２１１，２１２，２１３から出力された映像信号Ｖ２０３，Ｖ２０４，Ｖ２０５のうちいずれか１つを選択して映像信号Ｖ２０６として出力する。モニタ２１５は、入力された映像信号Ｖ２０６を表示する。
【００５３】
図１１は図１０のＨＤＣＰ処理回路２１１（２１２，２１３）の構成例を示す。２２１は擬似信号生成回路、２２２，２２３は第２および第３の映像信号セレクタ、２２４は映像復号回路としてのＨＤＣＰ復号回路、２２５は認証鍵生成回路である。また擬似信号生成回路２２１には、第４の映像信号セレクタ２２６、タイミング検出回路２２７、タイミング情報保持回路２２８、暗号制御情報保持回路２２９、および映像信号生成回路２３０が含まれる。
【００５４】
擬似信号生成回路２２１は、映像信号Ｖ２０１またはＶ２０２とクロック信号ＣＫ２０１（ＣＫ２０２，ＣＫ２０３）に基づいて擬似映像信号Ｖ２１２を生成し出力する。映像信号セレクタ２２２は、ＨＤＣＰ処理回路２１１（２１２，２１３）において、入力選択情報Ｃ２０２が「Ｐｏｒｔ０（Ｐｏｒｔ１，Ｐｏｒｔ２）」を示しているときは映像信号Ｖ２０２を選択し、入力選択情報Ｃ２０２が「Ｐｏｒｔ０（Ｐｏｒｔ１，Ｐｏｒｔ２）以外」を示しているときは擬似映像信号Ｖ２１２を選択して、映像信号Ｖ２１３として出力する。映像信号セレクタ２２３は、ＨＤＣＰ処理回路２１１（２１２，２１３）において、出力選択情報Ｃ２０３が「Ｐｏｒｔ０（Ｐｏｒｔ１，Ｐｏｒｔ２）」を示しているときは映像信号Ｖ２０１を選択し、出力選択情報Ｃ２０３が「Ｐｏｒｔ０（Ｐｏｒｔ１，Ｐｏｒｔ２）以外」を示しているときは映像信号Ｖ２１３を選択して、映像信号Ｖ２１４として出力する。ＨＤＣＰ復号回路２２４は、映像信号Ｖ２１４に対して暗号の復号化処理を施し、映像信号Ｖ２０３（Ｖ２０４，Ｖ２０５）として出力する。認証鍵生成回路２２５は、映像信号Ｖ２１４に基づいて認証鍵Ｋ２０１（Ｋ２０２，Ｋ２０３）を生成し出力する。
【００５５】
また、ＨＤＣＰ復号回路２２４は、ＨＤＣＰ処理回路２１１（２１２，２１３）において、出力選択情報Ｃ２０１が「Ｐｏｒｔ０（Ｐｏｒｔ１，Ｐｏｒｔ２）」を示しているときに、パワーオン状態に遷移することができ、出力選択情報Ｃ２０１が「Ｐｏｒｔ０（Ｐｏｒｔ１，Ｐｏｒｔ２）以外」を示しているときに、パワーダウン状態に遷移することができる。また認証鍵生成回路２２５は、ＨＤＣＰ処理回路２１１（２１２，２１３）において、出力選択情報Ｃ２０１が「Ｐｏｒｔ０（Ｐｏｒｔ１，Ｐｏｒｔ２）以外」を示しているときに、映像信号Ｖ２１４のタイミングに基づいてパワーダウン状態またはパワーオン状態に遷移することができる。
【００５６】
次に、擬似信号生成回路２２１について説明する。ＨＤＣＰ処理回路２１１（２１２，２１３）において、映像信号セレクタ２２６は、出力選択情報Ｃ２０１が「Ｐｏｒｔ０（Ｐｏｒｔ１，Ｐｏｒｔ２）」を示しているときは映像信号Ｖ２０１を選択し、出力選択情報Ｃ２０１が「Ｐｏｒｔ０（Ｐｏｒｔ１，Ｐｏｒｔ２）以外」を示しているときは映像信号Ｖ２０２を選択して、映像信号Ｖ２１１として出力する。タイミング検出回路１２１は、クロック信号ＣＫ２０１（ＣＫ２０２，ＣＫ２０３）に基づいて映像信号Ｖ２１１の動作タイミングを検出し、タイミング情報ＴＭ２１１を出力する。ここでタイミング情報ＴＭ２１１には、映像信号Ｖ２１１に含まれるＶＳＹＮＣが立ち上がる時間を示すＶＳＹＮＣ立上り時間情報と、ＶＳＹＮＣが立ち下がる時間を示すＶＳＹＮＣ立下り時間情報とが含まれる。タイミング情報保持回路２２８は、出力選択情報Ｃ２０１および入力選択情報Ｃ２０２に基づいて、タイミング情報ＴＭ２１１を保持し、タイミング情報ＴＭ２１２として出力する。暗号制御情報保持回路２２９は、出力選択情報Ｃ２０１および入力選択情報Ｃ２０２に基づいて、映像信号Ｖ２１１に含まれる暗号制御情報（ＣＴＬ）を保持し、暗号制御情報Ｄ２１１として出力する。映像信号生成回路２３０は、クロック信号ＣＫ２０１（ＣＫ２０２，ＣＫ２０３）、タイミング情報ＴＭ２１１と暗号制御情報Ｄ２１１に基づいて映像信号を生成し、擬似映像信号Ｖ２１２として出力する。
【００５７】
タイミング情報保持回路２２８および暗号制御情報保持回路２２９は、対応するポートを出力選択情報Ｃ２０１または入力選択情報Ｃ２０２が示しているときは、保持している情報を入力された情報によって更新していき、そうでないときは、保持している情報をそのまま保持し続ける。すなわち、ＨＤＣＰ処理回路２１１（２１２，２１３）において、タイミング情報保持回路２２８および暗号制御情報保持回路２２９は、出力選択情報Ｃ２０１または入力選択情報Ｃ２０２が「Ｐｏｒｔ０（Ｐｏｒｔ１，Ｐｏｒｔ２）」を示しているときは、入力された情報を保持し、出力選択情報Ｃ２０１および入力選択情報Ｃ２０２が「Ｐｏｒｔ０（Ｐｏｒｔ１，Ｐｏｒｔ２）以外」を示しているときは、出力選択情報Ｃ２０１または入力選択情報Ｃ２０２が「Ｐｏｒｔ０（Ｐｏｒｔ１，Ｐｏｒｔ２）」を示していたときに保持した情報を保持し続ける。
【００５８】
図１２はＨＤＣＰ処理回路２１１内部の擬似信号生成回路２２１の動作を説明するためのタイミング図である。なお、ＨＤＣＰ処理回路２１２，２１３内部の擬似信号生成回路２２１の動作もこれと同様である。
【００５９】
図１２の動作タイミングでは、まず出力選択情報Ｃ２０１が「Ｐｏｒｔ０」を示しており、入力選択情報Ｃ２０２が「Ｐｏｒｔ２」を示している。映像信号セレクタ２２６は、出力選択情報Ｃ２０１が「Ｐｏｒｔ０」を示しているため、映像信号Ｖ２０１，Ｖ２０２のうち映像信号Ｖ２０１を選択して、映像信号Ｖ２１１として出力している。タイミング検出回路２２７は、映像信号Ｖ２１１が入力されると、クロック信号ＣＫ２０１に同期して映像信号Ｖ２１１に含まれるＶＳＹＮＣのタイミングを検出する。時間ｔ２０１において、ＶＳＹＮＣが立ち上がり、タイミング検出回路２２７は内部カウンタを動作させてタイミングの検出を開始する。時間ｔ２０２において、映像信号Ｖ２１１に含まれる暗号制御情報であるＣＴＬが任意の値「Ａ」に変化し、暗号制御情報保持回路２２９は、ＣＴＬが示す値「Ａ」を取り込み保持する。ＣＴＬの値は、ＶＳＹＮＣとの関係で予め決められたタイミングで取り込まれる。
【００６０】
次に時間ｔ２０３において、ＶＳＹＮＣが立ち下がったため、この時のタイミング検出回路２２７の内部カウンタが示す値「ｍ」がタイミング情報ＴＭ２１１として出力され、タイミング情報保持回路２２８に、ＶＳＹＮＣ立下り時間情報として保持される。また時間ｔ２０４において、ＶＳＹＮＣが立ち上がったため、この時のタイミング検出回路２１７の内部カウンタが示す値「ｎ」がタイミング情報ＴＭ２１１として出力され、タイミング情報保持回路２２８に、ＶＳＹＮＣ立上り時間情報として保持される。またこの時、タイミング検出回路２２７の内部カウンタの値は、映像信号Ｖ２１１に含まれるＶＳＹＮＣの立ち上がりに同期して、「０」にクリアされている。
【００６１】
映像信号生成回路２３０は、タイミング情報保持回路２２８に保持されたタイミング情報ＴＭ２１２（ＶＳＹＮＣ立下り時間情報、ＶＳＹＮＣ立上り時間情報を含む）と、暗号制御情報保持回路２２９に保持された暗号制御情報（ＣＴＬ）と、クロック信号ＣＫ２０１とに基づいて、擬似映像信号Ｖ２１２を生成する。時間ｔ２０４においてＶＳＹＮＣ立上り時間情報が出力されたことによって、擬似映像信号Ｖ２１２を生成するための情報が集まったので、映像信号生成回路２３０は内部カウンタを動作させて、クロック信号ＣＫ２０１に同期して擬似映像信号Ｖ２１２の生成を開始する。時間ｔ２０５において、映像信号生成回路２３０は、暗号制御情報Ｄ２１１（ＣＴＬ）が示す値を、擬似映像信号Ｖ２１２に含まれるＣＴＬとして出力する。このＣＴＬの出力タイミングは、擬似映像信号Ｖ２１２に含まれるＶＳＹＮＣとの関係で予め決められている。
【００６２】
時間ｔ２０６において、映像信号生成回路２３０のカウンタ値が、タイミング情報ＴＭ２１２に含まれるＶＳＹＮＣ立下り時間情報と一致したため、擬似映像信号Ｖ２１２に含まれるＶＳＹＮＣを立ち下げている。時間ｔ２０８において、映像信号生成回路２３０のカウンタ値が、タイミング情報ＴＭ２１２に含まれるＶＳＹＮＣ立上り時間情報と一致したため、擬似映像信号Ｖ２１２に含まれるＶＳＹＮＣを立ち上げている。また時間ｔ２０７において、出力選択情報Ｃ２０１が「Ｐｏｒｔ０」から「Ｐｏｒｔ１」に切り替わっており、また入力選択情報Ｃ２０２が「Ｐｏｒｔ２」を示しているため、この時間ｔ２０７以降は、タイミング情報保持回路２２８および暗号制御情報保持回路２２９に保持された情報はそのまま保持される。このため、時間ｔ２０７以降でも、一定のタイミングで動作する擬似映像信号Ｖ２１２を生成し続けることができる。
【００６３】
図１３はＨＤＣＰ処理回路２１１内部の擬似信号生成回路２２１の動作を説明するための別のタイミング図である。なお、ＨＤＣＰ処理回路２１２，２１３内部の擬似信号生成回路２２１の動作もこれと同様である。
【００６４】
図１３の動作タイミングでは、まず出力選択情報Ｃ２０１が「Ｐｏｒｔ２」を示しており、入力選択情報Ｃ２０２が「Ｐｏｒｔ０」を示している。映像信号セレクタ２２６は、出力選択情報Ｃ２０１が「Ｐｏｒｔ０以外」であるため、映像信号Ｖ２０１，Ｖ２０２のうち映像信号Ｖ２０２を選択して、映像信号Ｖ２１１として出力している。以降の動作は、図１２と同様である。
【００６５】
図１２および図１３に示すとおり、ＨＤＣＰ処理回路２１１の擬似信号生成回路２２１では、出力選択情報Ｃ２０１か入力選択情報Ｃ２０２のいずれか一方が「Ｐｏｒｔ０」を示している間は、映像信号Ｖ２１２を生成するための情報を取得することができる。そのため、出力選択情報Ｃ２０１が「Ｐｏｒｔ０以外」を示している場合であっても、入力選択回路２０５でＰｏｒｔ０を選択することにより、擬似信号生成回路２２１でＨＤＭＩポート２０１から受信した映像信号の情報を取得できる。他のＨＤＣＰ処理回路２１２，２１３についても同様のことが言える。
【００６６】
図１４はモニタ出力するＨＤＭＩポートを切り替えた時の、各構成回路の状態変化を説明するためのタイミング図である。ここでは例としてＨＤＭＩポート２０１のＨＤＣＰ認証状態について説明する。
【００６７】
図１４において、まず、出力選択情報Ｃ２０１は「Ｐｏｒｔ０」を示しており、入力選択情報Ｃ２０２は「Ｐｏｒｔ０」を示している。時間ｔ２２１において、ＨＤＭＩポート２０１，２０２に外部機器が接続され、ＨＤＭＩポート２０１，２０２の接続状態を示す信号Ｈ２０１，Ｈ２０２が「１」になり、外部機器からＨＤＭＩポート２０１，２０２を介してデジタル信号が入力される。またＨＤＭＩポート２０３では外部機器が切断され、ＨＤＭＩポート２０３の接続状態を示す信号Ｈ２０３が「０」になっている。入力信号セレクタ２０６は、出力選択情報Ｃ２０１が「Ｐｏｒｔ０」を示しているため、ＨＤＭＩポート２０１が出力するデジタル信号Ｓ２０１をデジタル信号Ｓ２０４として選択出力する。ＨＤＣＰ処理回路２１１には、入力処理回路２０８でシリアル−パラレル変換して得られた映像信号Ｖ２０１が入力される。また入力信号セレクタ２０７は、入力選択情報Ｃ２０２が「Ｐｏｒｔ０」を示しているため、ＨＤＭＩポート２０１が出力するデジタル信号Ｓ２０１をデジタル信号Ｓ２０５として選択出力する。ＨＤＣＰ処理回路２１１には、入力処理回路２０９でシリアル−パラレル変換して得られた映像信号Ｖ２０２が入力される。
【００６８】
ＨＤＣＰ処理回路２１１は、出力選択情報Ｃ２０１が「Ｐｏｒｔ０」を示しているため、映像信号Ｖ２０１の暗号の復号処理を実行し、映像信号Ｖ２０３として出力する。映像信号セレクタ２１４は、出力選択情報Ｃ２０１が「Ｐｏｒｔ０」を示しているため、映像信号Ｖ２０３を映像信号Ｖ２０６として選択し、モニタ２１５に出力する。また時間ｔ２２１において、ＨＤＣＰの認証動作が開始され、認証鍵生成回路２２５によって生成される認証鍵Ｋ２０１の出力が開始される。時間ｔ２２１以降は、映像信号Ｖ２１４に含まれるＶＳＹＮＣに基づいて認証鍵Ｋ１０１を更新しながら、認証状態が継続される。
【００６９】
時間ｔ２２２において、擬似信号生成回路２２１から擬似映像信号Ｖ２１２の出力を開始している。時間ｔ２２３において、出力選択情報Ｃ２０１が「Ｐｏｒｔ０」から「Ｐｏｒｔ１」に変化している。出力選択情報Ｃ２０１が「Ｐｏｒｔ１」に変化したことによって、入力信号セレクタ２０６は、ＨＤＭＩポート２０２が出力するデジタル信号Ｓ２０２をデジタル信号Ｓ２０４として選択出力する。このため、入力処理回路２０８から出力される映像信号Ｖ２０１に含まれるＶＳＹＮＣの周期が、時間ｔ２２３以降で変化している。ところが、出力選択情報Ｃ２０１が「Ｐｏｒｔ１」に切り替えられたことによって、映像信号セレクタ２２６は映像信号Ｖ２０２を映像信号Ｖ２１１として選択出力し、映像信号セレクタ２２２は映像信号Ｖ２０２を映像信号Ｖ２１３として選択出力する。また映像信号セレクタ２２３は映像信号Ｖ２１３を映像信号Ｖ２１４として選択出力するため、映像信号Ｖ２１４のＶＳＹＮＣ周期は時間ｔ２２３以降も変わらず、ＨＤＣＰの認証は継続される。
【００７０】
時間ｔ２２４において、ＨＤＭＩポート２０１に入力される映像信号のＶＳＹＮＣ周期が変化している。このとき出力選択情報Ｃ２０１は「Ｐｏｒｔ１」を示しているが、入力選択情報Ｃ２０２が「Ｐｏｒｔ０」を示しているため、ＨＤＭＩポート２０１に入力された映像信号のＶＳＹＮＣ周期の変化に伴って、映像信号Ｖ２０２のＶＳＹＮＣ周期が変化し、擬似信号生成回路２２１が出力する擬似映像信号Ｖ２１２のＶＳＹＮＣ周期も映像信号Ｖ２０２に追従して変化している。
【００７１】
時間ｔ２２５において、ＨＤＭＩポート２０２が外部機器から切断され、信号Ｈ２０２が「０」に変化している。このとき出力選択情報Ｃ２０１が「Ｐｏｒｔ１」を示しているため、入力処理回路２０８はパワーダウン状態に遷移している。入力処理回路２０８がパワーダウン状態に遷移しても、入力選択情報Ｃ２０２が「Ｐｏｒｔ０」を示しているため、入力処理回路２０９を介して映像信号Ｖ２０２がＨＤＣＰ処理回路２１１に入力される。このため問題なく動作する。時間ｔ２２６において、入力選択情報Ｃ２０２が「Ｐｏｒｔ２」に変化すると、ＨＤＣＰ処理回路２１１の映像信号セレクタ２２２が切り替わり、擬似信号生成回路２２１が出力する擬似映像信号Ｖ２１２が映像信号Ｖ２１３として選択出力される。映像信号セレクタ２２３は、出力選択情報Ｃ２０１が「Ｐｏｒｔ０」を示していないため、映像信号Ｖ２１３を映像信号Ｖ２１４として選択出力する。このため、ＨＤＣＰ復号回路２２４および認証鍵生成回路２２５は、擬似信号生成回路２２１が生成した擬似映像信号Ｖ２１２を受けて、時間ｔ２２６以前と同様に動作し続ける。また入力選択情報Ｃ２０２が「Ｐｏｒｔ２」に変化したことによって、ＨＤＣＰ復号回路２２５はパワーダウン状態に遷移する。
【００７２】
このように本実施形態によると、出力選択情報Ｃ２０１が切り換えられ「Ｐｏｒｔ１」を示している状態でも、入力選択情報Ｃ２０２が「Ｐｏｒｔ０」を示している状態であれば、ＨＤＭＩポート２０１で受信した映像信号の変化に対して追従することが可能であり、ＨＤＭＩポート２０１の受信状態の変化に対して敏感に対応することができる。また出力選択情報Ｃ２０１および入力選択情報Ｃ２０２の両方が「Ｐｏｒｔ０以外」を示している状態でも、擬似信号生成回路２２１が擬似映像信号を生成することにより、ＨＤＭＩポート２０１（Ｐｏｒｔ０）側のＨＤＣＰの認証は継続される。このため、再度出力選択情報Ｃ２０１が「Ｐｏｒｔ０」に切り替えられた時に再認証を実行する必要がなくなり、モニタ２１５に映像が出画されるまでの時間を短縮することが可能となる。ＨＤＭＩポート２０２（Ｐｏｒｔ１）、ＨＤＭＩポート２０３（Ｐｏｒｔ２）に関しても同様のことが言える。
【００７３】
図１５は映像信号Ｖ２１４に含まれるＶＳＹＮＣの変化と、認証鍵生成回路２２５から生成される認証鍵Ｋ２０１の変化と、認証鍵生成回路２２５の状態変化とを示したタイミング図である。ここでは例としてＨＤＣＰ処理回路２１１の動作について説明するが、他のＨＤＣＰ処理回路２１２，２１３の動作も同様である。
【００７４】
認証鍵生成回路２２５は、映像信号Ｖ２１４に基づいて認証鍵を生成する。具体的には映像信号Ｖ２１４のＶＳＹＮＣに基づいて認証鍵を演算し、また映像信号Ｖ２１４に含まれるＶＳＹＮＣをカウントし、１２８フレームに一度、演算して得られた認証鍵を認証鍵Ｋ２０１として出力する。出力切替情報Ｃ２０１が「Ｐｏｒｔ０」を示している間は、入力された映像信号Ｖ２１４のＶＳＹＮＣに同期して認証鍵の演算を行う。また時間ｔ２３１に出力選択情報Ｃ２０１が「Ｐｏｒｔ１」に変化しても、入力選択情報Ｃ２０２が「Ｐｏｒｔ０」を示しているため、時間ｔ２３１以前と同様に映像信号Ｖ２１４のＶＳＹＮＣに同期して認証鍵の演算を実行する。時間ｔ２３２において入力選択情報Ｃ２０２が「Ｐｏｒｔ２」に切り替えられてからは、認証鍵生成回路２２５は１２８フレーム分の認証鍵の演算を即座に実行し、１２８フレーム分の演算が終了した段階（時間ｔ２３３）でパワーダウン状態に遷移する。その後映像信号Ｖ２１４のＶＳＹＮＣのカウント数が１２８フレームとなったとき（時間ｔ２３４）にパワーオン状態に再び遷移し、演算した認証鍵を認証鍵Ｋ２０１として出力し、次の１２８フレーム分の認証鍵の演算を開始する。このように出力選択情報Ｃ２０１および入力選択情報Ｃ２０２の両方が「Ｐｏｒｔ０以外」を示しているときには、認証鍵生成回路２２５を間欠的に動作させることによって消費電力の低減が可能となる。
【００７５】
（実施の形態４）
図１６は実施の形態４に係る映像入力装置の構成例を示す。図１６において、図１０と共通の構成要素には図１０と同一の符号を付しており、ここではその詳細な説明を省略する。図１６の構成では、図１０の構成と対比すると、一定の周期で発振するクロック信号ＣＫ２０４を出力する発振器２４１が設けられており、ＨＤＣＰ処理回路２１１（２１２，２１３）は、ＨＤＭＩポート２０１（２０２，２０３）から出力されたクロック信号ＣＫ２０１（ＣＫ２０２，ＣＫ２０３）に代えて、クロック信号ＣＫ２０４を受けている。また、接続検出回路２１０が省かれている。さらに、入力選択回路２０５が、任意の時間を計測して通知するタイマ２４２を備えている。タイマ２４２は、入力選択情報Ｃ２０２を所定のタイミングで切り替えるために用いられる。
【００７６】
図１７は図１６のＨＤＣＰ処理回路２１１（２１２，２１３）の構成例を示す。図１７において、図１１と共通の構成要素には図１１と同一の符号を付しており、ここではその詳細な説明を省略する。図１１の構成と対比すると、タイミング検出回路２２７および映像信号生成回路２３０に、発振器２４１から出力されたクロック信号ＣＫ２０４が与えられる点が異なっている。それ以外は、図１１の構成と同様である。
【００７７】
図１８および図１９はＨＤＣＰ処理回路２１１内部の擬似信号生成回路２２１の動作を説明するためのタイミング図である。クロック信号ＣＫ２０４が用いられている以外は、図１２および図１３に示した動作と同様であるため、ここではその詳細な説明を省略する。なお、ＨＤＣＰ処理回路２１２，２１３内部の擬似信号生成回路２２１の動作もこれと同様である。
【００７８】
図２０は、モニタ出力するＨＤＭＩポートを切り替えた時の、各構成回路の状態変化を説明するためのタイミング図である。ここでは例としてＨＤＭＩポート２０１のＨＤＣＰ認証状態について示している。図２０に示した動作は、図１４に示した動作と同様であるため、ここではその詳細な説明を省略する。
【００７９】
このように本実施形態によると、出力選択情報Ｃ２０１が切り換えられ「Ｐｏｒｔ１」を示している状態でも、入力選択情報Ｃ２０２が「Ｐｏｒｔ０」を示している状態であれば、ＨＤＭＩポート２０１で受信した映像信号の変化に対して追従することが可能であり、ＨＤＭＩポート２０１の受信状態の変化に対して敏感に対応することができる。また出力選択情報Ｃ２０１および入力選択情報Ｃ２０２の両方が「Ｐｏｒｔ０以外」を示している状態でも、擬似信号生成回路２２１が映像信号を生成することにより、ＨＤＭＩポート２０１（Ｐｏｒｔ０）側のＨＤＣＰの認証は継続される。このため、再度出力選択情報Ｃ２０１が「Ｐｏｒｔ０」に切り替えられた時に再認証を実行する必要がなくなり、モニタ２１５に映像が出画されるまでの時間を短縮することが可能となる。
【００８０】
さらに、本実施形態では、発振器２４１が出力するクロック信号ＣＫ２０４の周期を許容できる範囲で長くする（周波数を下げる）ことによって、擬似信号生成回路２２１の動作周波数を抑えることができ、消費電力の低減が可能となる。特に、ＨＤＭＩポート２０１，２０２，２０３で受信して出力されるクロック信号ＣＫ２０１，ＣＫ２０２，ＣＫ２０３の周波数が高い場合に、効果的である。
【００８１】
図２１は入力選択回路２０５が持つタイマ２４２の動作を説明するためのタイミング図である。図２１では、まず出力選択情報Ｃ２０１が「Ｐｏｒｔ０」を示しており、入力選択情報Ｃ２０２が「Ｐｏｒｔ０」を示しており、ＨＤＭＩポート２０１（Ｐｏｒｔ０）、２０２（Ｐｏｒｔ１）には外部機器が接続されていない状態、ＨＤＭＩポート２０３（Ｐｏｒｔ２）には外部機器が接続されている状態から始まっている。タイマ２４２は所定時間Ｔ（ｍｓ）を計測し、入力選択回路２０５はタイマ２４２が示す所定時間Ｔ（ｍｓ）周期で入力選択情報Ｃ２０２を切り替える。
【００８２】
時間ｔ２７１に、Ｐｏｒｔ０，Ｐｏｒｔ１に外部機器が接続され、ＨＤＭＩポート２０１，２０２に外部機器が接続されていることを示す信号Ｈ２０１，Ｈ２０２が「１」に変化し、またＰｏｒｔ２から外部機器が切断され、ＨＤＭＩポート２０３に外部機器が接続されていることを示す信号Ｈ２０３が「０」に変化している。このとき出力選択情報Ｃ２０１は「Ｐｏｒｔ０」を示しているため、映像信号Ｖ２０１としてＨＤＭＩポート２０１から受信した映像信号が出力されている。また入力選択情報Ｃ２０２は「Ｐｏｒｔ０」を示しているため、映像信号Ｖ２０２としてＨＤＭＩポート２０１から受信した映像信号が出力されている。
【００８３】
時間ｔ２７２に、タイマ２４２に基づいて入力選択回路２０５は入力選択情報Ｃ２０２を「Ｐｏｒｔ０」から「Ｐｏｒｔ１」に切り替え、それに伴って、映像信号Ｖ２０２はＨＤＭＩポート２０２から受信した映像信号に切り替えられている。時間ｔ２７２のＴ（ｍｓ）後の時間ｔ２７３に、入力選択情報Ｃ２０２は「Ｐｏｒｔ１」から「Ｐｏｒｔ２」に切り替えられ、それに伴って、映像信号Ｖ２０２はＨＤＭＩポート２０３から受信する映像信号に切り替えられるが、時間ｔ２７３にはＨＤＭＩポート２０３には外部機器が接続されていないため、映像信号Ｖ２０２は不定状態となる。時間ｔ２７３のＴ（ｍｓ）後には入力選択情報Ｃ２０２が「Ｐｏｒｔ２」から「Ｐｏｒｔ０」に切り替えられる。このようにタイマ２４２により、所定時間Ｔ（ｍｓ）間隔で入力選択情報Ｃ２０２が切り替えられる。
【００８４】
時間ｔ２７４にＨＤＭＩポート２０３に外部機器が接続され、ＨＤＭＩポート２０３に外部機器が接続されていることを示す信号Ｈ２０３が「１」に変化している。このとき入力選択情報Ｃ２０２は「Ｐｏｒｔ２」を示しているため、時間ｔ２７４以降で入力選択情報Ｃ２０２が「Ｐｏｒｔ２」を示している時には、映像信号Ｖ２０２としてＨＤＭＩポート２０３から受信した映像信号が出力される。時間ｔ２７５に出力選択情報Ｃ２０１が「Ｐｏｒｔ１」に切り替わり、映像信号Ｖ２０１としてＨＤＭＩポート２０２から受信した映像信号が出力される。
【００８５】
このように本実施形態によると、タイマ２４２を使用することによって、入力選択情報Ｃ２０２を切り替え、各ＨＤＭＩポートの状態を定期的にモニタし、各ＨＤＭＩポートの状態変化に追従することが可能となる。
【００８６】
（実施の形態５）
図２２は実施の形態５に係る映像入力装置の構成例を示す。図２２において、３０１は受信インターフェース手段としてのＨＤＭＩポート、３０２は映像信号受信手段としてのＴＶアンテナ、３０３は出力選択回路、３０４は入力処理回路、３０５は入力電力制御回路、３０６は接続検出回路、３０７は受信信号処理回路、３０８は暗号復号処理回路としてのＨＤＣＰ処理回路、３０９は映像信号セレクタ、３１０はモニタである。またＨＤＣＰ処理回路３０８には、擬似信号生成回路３１１、第２の映像信号セレクタ３１２、映像復号回路としてのＨＤＣＰ復号回路３１３、認証鍵生成回路３１４が含まれる。
【００８７】
ＨＤＭＩポート３０１は外部機器とＨＤＭＩケーブルを介して接続するためのポートであり、デジタル映像信号の受信と、外部機器との間でＨＤＣＰ関連情報（認証鍵を含む）の書き込みまたは読み出しを行うためのポートである。ＨＤＭＩポート３０１から受信したデジタル信号はデジタル信号Ｓ３０１として出力され、受信したデジタル信号に含まれるクロック信号はクロック信号ＣＫ３０１として出力される。ＴＶアンテナ３０２は、テレビジョン放送波を受信するアンテナであり、ＴＶ信号Ｄ３０１を出力する。受信信号処理回路３０７は、ＴＶ信号Ｄ３０１に含まれる映像データに対してデコード処理等の信号処理を施し、映像信号Ｖ３０２を出力する。出力選択回路３０３は、ＨＤＭＩポート３０１から受信した映像信号とＴＶアンテナ３０２から受信した映像信号のうち一方を選択するための出力選択情報Ｃ３０１を出力する。接続検出回路３０６は、ＨＤＭＩポート３０１に外部機器が接続されているか否かを示す信号Ｈ３０１を入力し、ＨＤＭＩポート３０１の接続状態を検出し、ポート接続情報Ｃ３０２を出力する。入力処理回路３０４は、入力されたデジタル信号Ｓ３０１に対してＨＤＭＩ規格に準拠したシリアル−パラレル変換処理を行い、映像信号Ｖ３０１を出力する。
【００８８】
入力電力制御回路３０５は、出力する電力制御信号Ｃ３０３により、入力処理回路３０４をパワーオン状態またはパワーダウン状態に制御することができる。ここで、電力制御信号Ｃ３０３が０のときは入力処理回路３０４はパワーダウン状態に遷移し、電力制御信号Ｃ３０３が１のときは入力処理回路３０４はパワーオン状態に遷移するものとする。入力電力制御回路３０５は、ポート接続情報Ｃ３０２が「０」（ＨＤＭＩポート３０１に外部機器が接続されていない状態）のときは電力制御信号Ｃ３０３を「０」にし、ポート接続情報Ｃ３０２が「１」（ＨＤＭＩポート３０１に外部機器が接続されている状態）であり、かつ、出力選択情報Ｃ３０１が「ＨＤＭＩポート」を示しているときは、電力制御信号Ｃ３０３を「１」に設定する。さらに入力電力制御回路３０５は、ポート接続情報Ｃ３０２が「１」であり、かつ、出力選択情報Ｃ３０１が「ＴＶアンテナ」を示しているときは、擬似信号生成回路３１１から出力される映像信号Ｖ３０５に基づいて、電力制御信号Ｃ３０３を「０」または「１」に制御する。
【００８９】
ＨＤＣＰ処理回路３０８は、映像信号Ｖ３０１に施された暗号を復号化して映像信号Ｖ３０３を出力し、またＨＤＣＰの認証に必要な認証鍵Ｋ３０１を生成し出力する。映像信号セレクタ３０９は、出力選択情報Ｃ３０１に基づいて、ＨＤＣＰ処理回路３０８から出力された映像信号Ｖ３０３と受信信号処理回路３０７から出力された映像信号Ｖ３０２のうち一方を選択して、映像信号Ｖ３０４として出力する。モニタ３１０は、入力された映像信号Ｖ３０４を表示する。
【００９０】
次にＨＤＣＰ処理回路３０８内部の回路について説明する。擬似信号生成回路３１１は、映像信号Ｖ３０１とＨＤＭＩポート３０１で受信したクロック信号ＣＫ３０１に基づいて、擬似映像信号Ｖ３０５を生成し出力する。映像信号セレクタ３１２は、出力選択情報Ｃ３０１がＨＤＭＩポート３０１を示しているときは映像信号Ｖ３０１を選択し、出力選択情報Ｃ３０１がＴＶアンテナ３０２を示しているときは擬似信号生成回路３１１から出力される擬似映像信号Ｖ３０５を選択し、映像信号Ｖ３０６として出力する。ＨＤＣＰ復号回路３１３は、映像信号Ｖ３０６に対して暗号の復号化処理を施し、映像信号Ｖ３０３として出力する。認証鍵生成回路３１４は、映像信号Ｖ３０６に基づいて認証鍵Ｋ３０１を生成し出力する。
【００９１】
ＨＤＣＰ復号回路３１３は、電力制御信号Ｃ３０３がパワーダウン状態を示しているときにパワーダウン状態に遷移し、電力制御信号Ｃ３０３がパワーオン状態を示しているときにパワーオン状態に遷移する。また、認証鍵生成回路３１４は、電力制御信号Ｃ３０３がパワーダウン状態を示しているとき、映像信号Ｖ３０６のタイミングに基づいてパワーダウン状態またはパワーオン状態に遷移することができる。
【００９２】
図２３は図２２の擬似信号生成回路３１１の構成例を示す。３２１はタイミング検出回路、３２２はタイミング情報保持回路、３２３は暗号制御情報保持回路、３２４は映像信号生成回路である。
【００９３】
タイミング検出回路３２１は、クロック信号ＣＫ３０１に基づいて映像信号Ｖ３０１の動作タイミングを検出し、タイミング情報ＴＭ３０１を出力する。ここでのタイミング情報ＴＭ３０１には、映像信号Ｖ３０１に含まれる垂直同期信号（ＶＳＹＮＣ）が立ち上がる時間を示すＶＳＹＮＣ立上り時間情報と、ＶＳＹＮＣが立ち下がる時間を示すＶＳＹＮＣ立下り時間情報とが含まれる。タイミング情報保持回路３２２は、電力制御信号Ｃ３０３に基づいて、タイミング情報ＴＭ３０１を保持し、タイミング情報ＴＭ３０２として出力する。暗号制御情報保持回路３２３は、電力制御信号Ｃ３０３に基づいて、映像信号Ｖ３０１に含まれる暗号制御情報（ＣＴＬ）を保持し、暗号制御情報Ｄ３０１として出力する。映像信号生成回路３２４は、クロック信号ＣＫ３０１、タイミング情報ＴＭ３０１と暗号制御情報Ｄ３０１に基づいて映像信号を生成し、擬似映像信号Ｖ３０５として出力する。
【００９４】
タイミング情報保持回路３２２および暗号制御情報保持回路３２３は、電力制御信号Ｃ３０３がパワーオン状態を示しているときは、入力された情報を保持し、電力制御信号Ｃ３０３がパワーダウン状態を示しているときは、電力制御信号Ｃ３０３がパワーオンを示していたときに保持した情報を保持し続ける。
【００９５】
図２４は擬似信号生成回路３１１の動作を説明するためのタイミング図である。
【００９６】
電力制御信号Ｃ３０３がパワーオン状態を示している状態で、タイミング検出回路３２１は、映像信号Ｖ３０１が入力されると、クロック信号ＣＫ３０１に同期して、映像信号Ｖ３０１に含まれるＶＳＹＮＣのタイミングを検出する。時間ｔ３０１において、ＶＳＹＮＣが立ち上がり、タイミング検出回路３２１は内部カウンタを動作させてタイミングの検出を開始する。時間ｔ３０２において、映像信号Ｖ３０１に含まれる暗号制御情報であるＣＴＬが任意の値「Ａ」に変化し、暗号制御情報保持回路３２３は、ＣＴＬが示す値「Ａ」を取り込み保持する。ＣＴＬの値は、ＶＳＹＮＣとの関係で予め決められたタイミングで取り込まれる。次に時間ｔ３０３において、ＶＳＹＮＣが立ち下がったため、この時のタイミング検出回路３２１の内部カウンタが示す値「ｍ」がタイミング情報ＴＭ３０１として出力され、タイミング情報保持回路３２２に、ＶＳＹＮＣ立下り時間情報として保持される。また時間ｔ３０４において、ＶＳＹＮＣが立ち上がったため、この時のタイミング検出回路３２１の内部カウンタが示す値「ｎ」がタイミング情報ＴＭ３０１として出力され、タイミング情報保持回路３２２に、ＶＳＹＮＣ立上り時間情報として保持される。またこの時、タイミング検出回路３２１の内部カウンタの値は、映像信号Ｖ３０１に含まれるＶＳＹＮＣの立ち上がりに同期して、「０」にクリアされている。
【００９７】
映像信号生成回路３２４は、タイミング情報保持回路３２２に保持されたタイミング情報ＴＭ３０２（ＶＳＹＮＣ立下り時間情報、ＶＳＹＮＣ立上り時間情報を含む）と、暗号制御情報保持回路３２３に保持された暗号制御情報（ＣＴＬ）と、クロック信号ＣＫ３０１とに基づいて、擬似映像信号Ｖ３０５を生成する。時間ｔ３０４においてＶＳＹＮＣ立上り時間情報が出力されたことによって、擬似映像信号Ｖ３０５を生成するための情報が集まったので、映像信号生成回路３２４は内部カウンタを動作させて、クロック信号ＣＫ３０１に同期して擬似映像信号Ｖ３０５の生成を開始する。時間ｔ３０５において、映像信号生成回路３２４は、暗号制御情報Ｄ３０１（ＣＴＬ）が示す値を、擬似映像信号Ｖ３０５に含まれるＣＴＬとして出力する。このＣＴＬの出力タイミングは、擬似映像信号Ｖ３０５に含まれるＶＳＹＮＣとの関係で予め決められている。時間ｔ３０６において、映像信号生成回路３２４のカウンタ値が、タイミング情報ＴＭ３０２に含まれるＶＳＹＮＣ立下り時間情報と一致したため、擬似映像信号Ｖ３０５に含まれるＶＳＹＮＣを立ち下げている。時間ｔ３０８において、映像信号生成回路３２４のカウンタ値が、タイミング情報ＴＭ３０２に含まれるＶＳＹＮＣ立上り時間情報と一致したため、擬似映像信号Ｖ３０５に含まれるＶＳＹＮＣを立ち上げている。また時間ｔ３０７において、電力制御信号Ｃ３０３がパワーオン状態からパワーダウン状態に変化しており、この時間ｔ３０７以降は、タイミング情報保持回路３２２および暗号制御情報保持回路３２３に保持された情報はそのまま保持される。このため、時間ｔ３０７以降でも、擬似信号生成回路３１１は、一定のタイミングで動作する擬似映像信号Ｖ３０５を生成し続けることができる。
【００９８】
図２５はモニタ出力する入力ポート（ＨＤＭＩポート３０１、ＴＶアンテナ３０２）を切り替えた時の、各構成回路の状態変化を説明するためのタイミング図である。
【００９９】
図２５において、最初は、出力選択情報Ｃ３０１は「ＨＤＭＩポート」を示している。このときＨＤＭＩポート３０１には外部機器が接続されておらず、ポート接続情報Ｃ３０２が「０」となるため、入力電力制御回路３０５は電力制御信号Ｃ３０３を「０」に設定しており、入力処理回路３０４およびＨＤＣＰ復号回路３１３はパワーダウン状態となっている。時間ｔ３１１において、ＨＤＭＩポート３０１に外部機器が接続され、ＨＤＭＩポート３０１の接続状態を示す信号Ｈ３０１が「１」になり、ポート接続情報Ｃ３０２が「１」になり、外部機器からＨＤＭＩポート３０１を介してデジタル信号が入力される。ＨＤＭＩポート３０１から受信したデジタル信号Ｓ３０１は入力処理回路３０４でシリアル−パラレル変換され映像信号Ｖ３０１として出力される。ＨＤＣＰ処理回路３０８は、映像信号Ｖ３０１の暗号の復号処理を実行し、映像信号Ｖ３０２として出力する。映像信号セレクタ３０９は、出力選択情報Ｃ３０１が「ＨＤＭＩポート」を示しているため、映像信号Ｖ３０２を映像信号Ｖ３０４として選択し、モニタ３１０に出力する。また時間ｔ３１１において、ＨＤＣＰの認証動作が開始され、認証鍵生成回路３１４によって生成される認証鍵Ｋ３０１の出力が開始される。時間ｔ３１１以降は、映像信号Ｖ３０６に含まれるＶＳＹＮＣに基づいて認証鍵Ｋ３０１を更新しながら、認証状態が継続される。
【０１００】
時間ｔ３１２において、擬似信号生成回路３１１が擬似映像信号Ｖ３０５の出力を開始している。時間ｔ３１３において、出力選択情報Ｃ３０１が「ＨＤＭＩポート」から「ＴＶアンテナ」に変化している。入力電力制御回路３０５は、出力選択情報Ｃ３０１が「ＴＶアンテナ」に変化したことを検出して電力制御信号Ｃ３０３として「０」を出力し、これにより、入力処理回路３０４はパワーダウン状態に遷移し、ＨＤＣＰ復号回路３１３もまたパワーダウン状態に遷移する。また電力制御信号Ｃ３０３が「０」に変化したことによって、映像信号セレクタ３１２は擬似映像信号Ｖ３０５を映像信号Ｖ３０６として選択して出力する。
【０１０１】
時間ｔ３１４において、擬似映像信号Ｖ３０５のＶＳＹＮＣが立ち上がっている。入力電力制御回路３０５は、擬似映像信号Ｖ３０５が立ち上がったことを検出して電力制御信号Ｃ３０３を「１」に設定し、これにより、入力処理回路３０４およびＨＤＣＰ復号回路３１３はパワーオン状態に遷移する。時間ｔ３１５（時間ｔ３１４から予め設定された時間が経過した時）において、入力電力制御回路３０５は電力制御信号Ｃ３０３を再度「０」に設定し、これにより、入力処理回路３０４およびＨＤＣＰ復号回路３１３は再びパワーダウン状態に遷移する。時間ｔ３１６において、ＨＤＭＩポート３０１に接続されていた外部機器が切断され、ポート接続情報Ｃ３０２が「０」に変化し、映像信号Ｖ３０１は不定状態となり、更にＨＤＭＩポート３０１から出力されるクロック信号ＣＫ３０１も停止するため、擬似信号生成回路３１１から出力される擬似映像信号Ｖ３０５も停止し、映像信号セレクタ３１２から出力される映像信号Ｖ３０６もまた停止する。また入力電力制御回路３０５は、ポート接続情報Ｃ３０２が「０」であることを検出して、電力制御信号Ｃ３０３を「０」に設定し、これに伴って、入力処理回路３０４およびＨＤＣＰ復号回路３１３はパワーダウン状態に遷移している。
【０１０２】
このように本実施形態によると、出力選択情報Ｃ３０１が「ＨＤＭＩポート」を示していない状態でも、擬似信号生成回路３１１が擬似映像信号Ｖ３０５を生成し、この擬似映像信号Ｖ３０５に基づいて、入力電力制御回路３０５が電力制御信号Ｃ３０３を定期的に「０」または「１」に設定する。これにより、入力処理回路３０４およびＨＤＣＰ復号回路３１３の消費電力を最小限に抑えながら映像信号Ｖ３０６を出力することができるため、ＨＤＭＩポート３０１のＨＤＣＰの認証は継続される。このため、出力選択情報Ｃ３０１が再度「ＨＤＭＩポート」に切り替えられた時に再認証を実行する必要がなくなり、モニタ３１０に映像が出画されるまでの時間を短縮することが可能となる。
【０１０３】
図２６は映像信号Ｖ３０６に含まれるＶＳＹＮＣの変化と、認証鍵生成回路３１４から生成される認証鍵Ｋ３０１の変化と、認証鍵生成回路３１４の状態変化とを示したタイミング図である。認証鍵生成回路３１４は、映像信号Ｖ３０６に基づいて認証鍵を生成する。具体的には映像信号Ｖ３０６のＶＳＹＮＣに基づいて認証鍵を演算し、また映像信号Ｖ３０６に含まれるＶＳＹＮＣをカウントし、１２８フレームに一度、演算して得られた認証鍵を認証鍵Ｋ３０１として出力する。電力制御信号Ｃ３０３が「１」を示している間は、入力された映像信号Ｖ３０６のＶＳＹＮＣに同期して認証鍵の演算を行う。時間ｔ３２１に電力制御信号Ｃ３０３が「０」に切り替えられてからは、認証鍵生成回路３１４は１２８フレーム分の認証鍵の演算を即座に実行し、１２８フレーム分の演算が終了した段階（時間ｔ３２２）でパワーダウン状態に遷移する。その後映像信号Ｖ３０６のＶＳＹＮＣのカウント数が１２８フレームとなったとき（時間ｔ３２３）にパワーオン状態に再び遷移し、演算した認証鍵を認証鍵Ｋ３０１として出力し、次の１２８フレーム分の認証鍵の演算を開始する。このように電力制御信号Ｃ３０３が「０」を示しているときには、認証鍵生成回路３１４を間欠的に動作させることによって消費電力の低減が可能となる。
【０１０４】
（実施の形態６）
図２７は実施の形態６に係る映像入力装置の構成例を示す。図２７において、図２２と共通の構成要素には図２２と同一の符号を付しており、ここではその詳細な説明を省略する。図２７の構成では、図２２の構成と対比すると、一定の周期で発振するクロック信号ＣＫ３０２を出力する発振器３３１が設けられており、ＨＤＣＰ処理回路３０８の擬似信号生成回路３１１は、ＨＤＭＩポート３０１から出力されたクロック信号ＣＫ３０１に代えて、クロック信号ＣＫ３０２を受けている。また、入力電力制御回路３０５が、任意の時間を計測して通知するタイマ３３２を備えている。タイマ３３２は、電力制御信号Ｃ３０３を所定のタイミングで切り替えるために用いられる。すなわち、入力電力制御回路３０５は、ポート接続情報Ｃ３０２が「０」（ＨＤＭＩポート３０１に外部機器が接続されていない状態）のときは電力制御信号Ｃ３０３を「０」にし、またポート接続情報Ｃ３０２が「１」（ＨＤＭＩポート３０１に外部機器が接続されている状態）であり、かつ、出力選択情報Ｃ３０１が「ＨＤＭＩポート」を示しているときは電力制御信号Ｃ３０３を「１」に設定する。さらに入力電力制御回路３０５は、ポート接続情報Ｃ３０２が「１」であり、かつ、出力選択情報Ｃ３０１が「ＴＶアンテナ」を示しているときは、タイマ３３２に基づいて、電力制御信号Ｃ３０３を「０」または「１」に制御する。
【０１０５】
図２８は図２７の擬似信号生成回路３１１の構成例を示す。図２８において、図２３と共通の構成要素には図２３と同一の符号を付しており、ここではその詳細な説明を省略する。図２３の構成と対比すると、タイミング検出回路３２１および映像信号生成回路３２４に、発振器３３１から出力されたクロック信号ＣＫ３０２が与えられる点が異なっている。それ以外は、図２３の構成と同様である。
【０１０６】
図２９は擬似信号生成回路３１１の動作を説明するためのタイミング図である。クロック信号ＣＫ３０２が用いられている以外は、図２４に示した動作と同様であるため、ここではその詳細な説明を省略する。
【０１０７】
図３０はモニタ出力する入力ポート（ＨＤＭＩポート３０１、ＴＶアンテナ３０２）を切り替えた時の、各構成回路の状態変化を説明するためのタイミング図である。
【０１０８】
図３０において、最初は、出力選択情報Ｃ３０１は「ＨＤＭＩポート」を示している。このときＨＤＭＩポート３０１には外部機器が接続されておらず、ポート接続情報Ｃ３０２が「０」となるため、入力電力制御回路３０３は電力制御信号Ｃ３０３を「０」に設定しており、入力処理回路３０４およびＨＤＣＰ復号回路３１３はパワーダウン状態となっている。入力電力制御回路３０５のタイマ３３２は所定時間Ｔ（ｍｓ）を通知する。時間ｔ３４１において、ＨＤＭＩポート３０１に外部機器が接続され、ＨＤＭＩポート３０１の接続状態を示す信号Ｈ３０１が「１」になり、ポート接続情報Ｃ３０２が「１」になり、外部機器からＨＤＭＩポート３０１を介してデジタル信号が入力される。ＨＤＭＩポート３０１から受信したデジタル信号Ｓ３０１は入力処理回路３０４でシリアル−パラレル変換され映像信号Ｖ３０１として出力される。ＨＤＣＰ処理回路３０８は、映像信号Ｖ３０１の暗号の復号処理を実行し、映像信号Ｖ３０２として出力する。映像信号セレクタ３０９は、出力選択情報Ｃ３０１が「ＨＤＭＩポート」を示しているため、映像信号Ｖ３０２を映像信号Ｖ３０４として選択し、モニタ３１０に出力する。また時間ｔ３４１において、ＨＤＣＰの認証動作が開始し、認証鍵生成回路３１４によって生成される認証鍵Ｋ３０１の出力が開始される。時間ｔ３４１以降は、映像信号Ｖ３０６に含まれるＶＳＹＮＣに基づいて認証鍵Ｋ３０１を更新しながら、認証状態が継続される。
【０１０９】
時間ｔ３４２において、擬似信号生成回路３１１が擬似映像信号Ｖ３０５の出力を開始している。時間ｔ３４３において、出力選択情報Ｃ３０１が「ＨＤＭＩポート」から「ＴＶアンテナ」に変化している。入力電力制御回路３０５は、出力選択情報Ｃ３０１が「ＴＶアンテナ」に変化したことを検出して電力制御信号Ｃ３０３として「０」を出力し、これにより、入力処理回路３０４はパワーダウン状態に遷移し、ＨＤＣＰ復号回路３１３もまたパワーダウン状態に遷移する。また電力制御信号Ｃ３０３が「０」に変化したことによって、映像信号セレクタ３１２は擬似映像信号Ｖ３０５を映像信号Ｖ３０６として選択して出力する。
【０１１０】
時間ｔ３４４において、タイマ３３２の通知に従って、入力電力制御回路３０５は電力制御信号Ｃ３０３を「１」に設定し、これにより、入力処理回路３０４およびＨＤＣＰ復号回路３１３はパワーオン状態に遷移する。時間ｔ３４５（時間ｔ３４４から所定時間Ｔ（ｍｓ）後）において、入力電力制御回路３０５は電力制御信号Ｃ３０３を再度「０」に設定し、これにより、入力処理回路３０４およびＨＤＣＰ復号回路３１３は再びパワーダウン状態に遷移する。時間ｔ３４６において、ＨＤＭＩポート３０１に接続されていた外部機器が切断され、ポート接続情報Ｃ３０２が「０」に変化し、映像信号Ｖ３０１は不定状態となる。また入力電力制御回路３０５では、ポート接続情報Ｃ３０２が「０」であることを検出して、電力制御信号Ｃ３０３を「０」に設定する。これに伴って、擬似信号生成回路３１１から出力される映像信号Ｖ３０５も停止し、映像信号セレクタ３１２から出力される映像信号Ｖ３０６もまた停止する。また、入力処理回路３０４およびＨＤＣＰ復号回路３１３はパワーダウン状態に遷移している。
【０１１１】
このように本実施形態によると、出力選択情報Ｃ３０１が「ＨＤＭＩポート」を示していない状態でも、入力電力制御回路３０５が、一定の周期で時間を通知するタイマ３３２に基づいて電力制御信号Ｃ３０３を定期的に「０」または「１」に設定する。これにより、入力処理回路３０４およびＨＤＣＰ復号回路３１３の消費電力を最小限に抑えながら映像信号Ｖ３０６を出力することができるため、ＨＤＭＩポート３０１のＨＤＣＰの認証は継続される。このため、出力選択情報Ｃ３０１が再度「ＨＤＭＩポート」に切り替えられた時に再認証を実行する必要がなくなり、モニタ３１０に映像が出画されるまでの時間を短縮することが可能となる。
【０１１２】
図３１は映像信号Ｖ３０６に含まれるＶＳＹＮＣの変化と、認証鍵生成回路３１４から生成される認証鍵Ｋ３０１の変化と、認証鍵生成回路３１４の状態変化とを示したタイミング図である。認証鍵生成回路３１４は、映像信号Ｖ３０６に基づいて認証鍵を生成する。具体的には映像信号Ｖ３０６のＶＳＹＮＣに基づいて認証鍵を演算し、また映像信号Ｖ３０６に含まれるＶＳＹＮＣをカウントし、１２８フレームに一度、演算して得られた認証鍵を認証鍵Ｋ３０１として出力する。電力制御信号Ｃ３０３が「１」を示している間は、入力された映像信号Ｖ３０６のＶＳＹＮＣに同期して認証鍵の演算を行う。時間ｔ３５１に電力制御信号Ｃ３０３が「０」に切り替えられてからは、認証鍵生成回路３１４は１２８フレーム分の認証鍵の演算を即座に実行し、１２８フレーム分の演算が終了した段階（時間ｔ３５２）でパワーダウン状態に遷移する。その後映像信号Ｖ３０６のＶＳＹＮＣのカウント数が１２８フレームとなったとき（時間ｔ３５３）にパワーオン状態に再び遷移し、演算した認証鍵を認証鍵Ｋ３０１として出力し、次の１２８フレーム分の認証鍵の演算を開始する。このように電力制御信号Ｃ３０３が「０」を示しているときには、認証鍵生成回路３１４を間欠的に動作させることで消費電力の低減が可能となる。
【０１１３】
（実施の形態７）
図３２は実施の形態７に係る映像表示システムの構成例を示す。図３２において、４０１，４０２は映像再生装置、４０３は映像表示装置である。また映像再生装置４０１において、４０４は記憶媒体、４０５はＡＶ信号処理回路、４０６は暗号回路としてのＨＤＣＰ暗号回路、４０７は認証回路としてのＨＤＣＰ認証回路、４０８は出力制御回路、４０９は送信制御情報通信手段としてのＣＥＣ（Consumer Electronics Control）制御回路、４１０は送信インターフェース手段としてのＨＤＭＩポートである。また映像表示装置４０３において、４１１，４１２は受信インターフェース手段としてのＨＤＭＩポート、４１３は入力選択回路、４１４は入力信号セレクタ、４１５は入力処理回路、４１６，４１７は暗号復号処理回路としてのＨＤＣＰ処理回路、４１８は受信制御情報通信手段としてのＣＥＣ制御回路、４１９は映像信号セレクタ、４２０はモニタである。
【０１１４】
映像再生装置４０１の各回路について説明する。なお、映像再生装置４０２は映像再生装置４０１と同様の構成であるものとする。記憶媒体４０４は、ＭＰＥＧ２等で圧縮された映像コンテンツが記憶されており、記憶された映像コンテンツを映像データＭ４０１として出力する。ＡＶ信号処理回路４０５は、記憶媒体４０４から読み出された映像データＭ４０１に対して圧縮された映像の復号化処理等の信号処理を施し映像信号Ｖ４０１として出力する。またＡＶ信号処理回路４０５は、送信しようとする映像信号Ｖ４０１の映像フォーマット情報Ｉ４０１を出力する。ＨＤＣＰ暗号回路４０６は、映像信号Ｖ４０１に対してＨＤＣＰの暗号化処理を施し、映像信号Ｖ４０２として出力する。出力制御回路４０８は映像信号Ｖ４０２に対して、ＨＤＭＩ規格に準拠したパラレル−シリアル変換等の信号処理を施し、デジタル信号Ｓ４０１として出力する。ＨＤＭＩポート４１０は、ＨＤＭＩケーブルを介して映像表示装置４０３と接続するためのポートであり、ＴＭＤＳ(Transition Minimized Differential Signaling)データラインによるデジタル信号Ｓ４０１の送信、ＤＤＣ(Display Data Channel)ラインによる映像表示装置４０３へのＨＤＣＰ関連情報（認証鍵を含む）の書き込みまたは読み出し、ＣＥＣラインによる通信を行うためのポートである。ＨＤＣＰ認証回路４０７は、映像表示装置４０３との間でＨＤＣＰの認証を行う回路であり、ＨＤＭＩポート４１０から読み出された認証鍵と自身で生成した認証鍵とを比較し、認証状態を確認する。ＣＥＣ制御回路４０９は、映像フォーマット情報Ｉ４０１をＣＥＣの伝送方式に準拠した方式でＣＥＣ通信ラインＬ４０１により通信する。
【０１１５】
次に、映像表示装置４０３について説明する。ＨＤＭＩポート４１１（４１２）は映像再生装置４０１（４０２）とＨＤＭＩケーブルを介して接続するためのポートであり、ＴＭＤＳデータラインからのデジタル信号の受信、ＤＤＣラインによる映像再生装置４０１（４０２）との間のＨＤＣＰ関連情報（認証鍵を含む）の書き込みまたは読み出し、ＣＥＣラインによる通信を行うためのポートである。ＨＤＭＩポート４１１（４１２）から受信したデジタル信号はデジタル信号Ｓ４０２（Ｓ４０３）として出力される。入力選択回路４１３は、ＨＤＭＩポート４１１，４１２から受信した映像信号のうち一方を選択するための入力選択情報Ｃ４０１を出力する。入力信号セレクタ４１４は、入力選択情報Ｃ４０１に基づいて、ＨＤＭＩポート４１１，４１２から受信したデジタル信号Ｓ４０２、Ｓ４０３のうち一方を選択してデジタル信号Ｓ４０４として出力する。入力処理回路４１５は、入力されたデジタル信号Ｓ４０４に対してＨＤＭＩ規格に準拠したシリアル−パラレル変換処理を施し映像信号Ｖ４０３を出力する。ＨＤＣＰ処理回路４１６（４１７）は、映像信号Ｖ４０３に施された暗号を復号化して映像信号Ｖ４０４（Ｖ４０５）として出力し、またＨＤＣＰの認証に必要な認証鍵Ｋ４０２（Ｋ４０３）を生成し出力する。映像信号セレクタ４１９は、入力選択情報Ｃ４０１に基づいて、ＨＤＣＰ処理回路４１６，４１７で暗号を復号化して出力された映像信号Ｖ４０４，Ｖ４０５のうち一方を選択して映像信号Ｖ４０６として出力する。モニタ４２０は、入力された映像信号Ｖ４０６を表示する。ＣＥＣ制御回路４１８は、ＣＥＣの伝送方式に準拠した方式でＣＥＣ通信ラインＬ４０２，Ｌ４０３により通信し、映像再生装置４０１，４０２から受信した映像信号の映像フォーマット情報Ｉ４０２，Ｉ４０３を出力する。
【０１１６】
図３３は図３２のＨＤＣＰ処理回路４１６（４１７）の構成例を示す。４２１は擬似信号生成回路、４２２は第２の映像信号セレクタ、４２３は映像復号回路としてのＨＤＣＰ復号回路、４２４は認証鍵生成回路である。また擬似信号生成回路４２１には、タイミング検出回路４２５、タイミング情報保持回路４２６、暗号制御情報保持回路４２７、映像信号生成回路４２８、映像信号生成回路４２９、映像パラメータ格納メモリ４３０、映像信号セレクタ４３１が含まれる。
【０１１７】
擬似信号生成回路４２１は、映像フォーマット情報Ｉ４０２（Ｉ４０３）と映像信号Ｖ４０３とクロック信号ＣＫ４０１（ＣＫ４０２）に基づいて擬似映像信号Ｖ４１３を生成し出力する。映像信号セレクタ４２２は、ＨＤＣＰ処理回路４１６（４１７）において、入力選択情報Ｃ４０１がＨＤＭＩポート４１１（Ｐｏｒｔ０）（ＨＤＭＩポート４１２（Ｐｏｒｔ１））を示しているときは映像信号Ｖ４０３を選択し、入力選択情報Ｃ４０１がＰｏｒｔ１（Ｐｏｒｔ０）を示しているときは擬似映像信号Ｖ４１３を選択して、映像信号Ｖ４１４として出力する。ＨＤＣＰ復号回路４２３は、映像信号Ｖ４１４に対して暗号の復号化処理を施し、映像信号Ｖ４０４（Ｖ４０５）として出力する。認証鍵生成回路４２４は、映像信号Ｖ４１４に基づいて認証鍵Ｋ４０２（Ｋ４０３）を生成し出力する。
【０１１８】
次に擬似信号生成回路４２１について説明する。タイミング検出回路４２５は、クロック信号ＣＫ４０１（ＣＫ４０２）に基づいて映像信号Ｖ４０３の動作タイミングを検出し、タイミング情報ＴＭ４０１を出力する。ここでタイミング情報ＴＭ４０１には、映像信号Ｖ４０３に含まれる垂直同期信号（ＶＳＹＮＣ）が立ち上がる時間を示すＶＳＹＮＣ立上り時間情報と、ＶＳＹＮＣが立ち下がる時間を示すＶＳＹＮＣ立下り時間情報が含まれる。タイミング情報保持回路４２６は、入力選択情報Ｃ４０１に基づいて、タイミング情報ＴＭ４０１を保持し、タイミング情報ＴＭ４０２として出力する。またタイミング情報保持回路４２６は、タイミング情報を保持している場合には情報格納完了信号Ｃ４０２を「１」にし、タイミング情報を保持していない場合には情報格納完了信号Ｃ４０２を「０」にする。暗号制御情報保持回路４２７は、入力選択情報Ｃ４０１に基づいて、映像信号Ｖ４０３に含まれる暗号制御情報（ＣＴＬ）を保持し、暗号制御情報Ｄ４０１として出力する。映像信号生成回路４２８は、クロック信号ＣＫ４０１（ＣＫ４０２）、タイミング情報ＴＭ４０２と暗号制御情報Ｄ４０１に基づいて映像信号を生成し、擬似映像信号Ｖ４１１として出力する。
【０１１９】
タイミング情報保持回路４２６および暗号制御情報保持回路４２７は、対応するポートを入力選択情報Ｃ４０１が示しているときは、保持している情報を入力された情報によって更新していき、そうでないときは、保持している情報をそのまま保持し続ける。すなわち、ＨＤＣＰ処理回路４１６（４１７）において、タイミング情報保持回路４２６および暗号制御情報保持回路４２７は、入力選択情報Ｃ４０１がＰｏｒｔ０（Ｐｏｒｔ１）を示しているときは、入力された情報を保持し、入力選択情報Ｃ４０１がＰｏｒｔ１（Ｐｏｒｔ０）を示しているときは、入力選択情報Ｃ４０１がＰｏｒｔ０（Ｐｏｒｔ１）を示していたときに保持した情報を保持し続ける。
【０１２０】
また、ＨＤＣＰ処理回路４１６（４１７）において、映像パラメータ格納メモリ４３０は、予め決められた映像パラメータ情報を格納している。第２の映像信号生成回路４２９は、映像パラメータ格納メモリ４３０から映像フォーマット情報Ｉ４０２（Ｉ４０３）に対応する映像パラメータ情報Ｉ４０４を読み出し、クロック信号ＣＫ４０１（ＣＫ４０２）に基づいて、映像信号Ｖ４１２を生成して出力する。第３の映像信号セレクタ４３１は、情報格納完了信号Ｃ４０２が「１」のときには擬似映像信号Ｖ４１１を選択し、情報格納完了信号Ｃ４０２が「０」のときには映像信号Ｖ４１２を選択して、映像信号Ｖ４１３として出力する。
【０１２１】
図３４はＨＤＣＰ処理回路４１６内部の擬似信号生成回路４２１の動作を説明するためのタイミング図である。なお、ＨＤＣＰ処理回路４１７内部の擬似信号生成回路４２１の動作もこれと同様である。
【０１２２】
図３４の動作タイミングでは、最初は、入力選択情報Ｃ４０１は「Ｐｏｒｔ０」を示している。タイミング検出回路４２５は、映像信号Ｖ４０３が入力されると、クロック信号ＣＫ４０１に同期して映像信号Ｖ４０３に含まれるＶＳＹＮＣのタイミングを検出する。時間ｔ４０１において、ＶＳＹＮＣが立ち上がり、タイミング検出回路４２５は内部カウンタを動作させてタイミングの検出を開始する。時間ｔ４０２において、映像信号Ｖ４０３に含まれる暗号制御情報であるＣＴＬが任意の値「Ａ」に変化し、暗号制御情報保持回路４２７は、ＣＴＬが示す値「Ａ」を取り込み保持する。ＣＴＬの値は、ＶＳＹＮＣとの関係で予め決められたタイミングで取り込まれる。次に時間ｔ４０３において、ＶＳＹＮＣが立ち下がったため、この時のタイミング検出回路４２５の内部カウンタが示す値「ｍ」がタイミング情報ＴＭ４０１として出力され、タイミング情報保持回路４２６に、ＶＳＹＮＣ立下り時間情報として保持される。また時間ｔ４０４において、ＶＳＹＮＣが立ち上がったため、この時のタイミング検出回路４２５の内部カウンタが示す値「ｎ」がタイミング情報ＴＭ４０１として出力され、タイミング情報保持回路４２６に、ＶＳＹＮＣ立上り時間情報として保持される。またこの時、タイミング検出回路４２５の内部カウンタの値は、映像信号Ｖ４０３に含まれるＶＳＹＮＣの立ち上がりに同期して、「０」にクリアされている。またタイミング情報保持回路４２６は、ＶＳＹＮＣ立上り時間情報を保持した時点で、情報格納完了信号Ｃ４０２を「１」にする。
【０１２３】
映像信号生成回路４２８は、タイミング情報保持回路４２６に保持されたタイミング情報ＴＭ４０２（ＶＳＹＮＣ立下り時間情報、ＶＳＹＮＣ立上り時間情報を含む）と、暗号制御情報保持回路４２７に保持された暗号制御情報（ＣＴＬ）と、クロック信号ＣＫ４０１とに基づいて、擬似映像信号Ｖ４１１を生成する。時間ｔ４０４においてＶＳＹＮＣ立上り時間情報が出力されたことによって、擬似映像信号Ｖ４１１を生成するための情報が集まったので、映像信号生成回路４２８は内部カウンタを動作させて、クロック信号ＣＫ４０１に同期して擬似映像信号Ｖ４１１の生成を開始する。時間ｔ４０５において、映像信号生成回路４２８は、暗号制御情報Ｄ４０１（ＣＴＬ）が示す値を、擬似映像信号Ｖ４１１に含まれるＣＴＬとして出力する。このＣＴＬの出力タイミングは、擬似映像信号Ｖ４１１に含まれるＶＳＹＮＣとの関係で予め決められている。時間ｔ４０６において、映像信号生成回路４２８のカウンタ値が、タイミング情報ＴＭ４０２に含まれるＶＳＹＮＣ立下り時間情報と一致したため、擬似映像信号Ｖ４１１に含まれるＶＳＹＮＣを立ち下げている。時間ｔ４０８において、映像信号生成回路４２８のカウンタ値が、タイミング情報ＴＭ４０２に含まれるＶＳＹＮＣ立上り時間情報と一致したため、擬似映像信号Ｖ４１１に含まれるＶＳＹＮＣを立ち上げている。また時間ｔ４０７において、入力選択情報Ｃ４０１が「Ｐｏｒｔ０」から「Ｐｏｒｔ１」に切り替わっており、この時間ｔ４０７以降は、タイミング情報保持回路４２６および暗号制御情報保持回路４２７に保持された情報はそのまま保持される。このため、時間ｔ４０７以降でも、一定のタイミングで動作する擬似映像信号Ｖ４１１を生成し続けることができる。
【０１２４】
図３５は擬似信号生成回路４２１の映像信号生成回路４２９の動作を説明するためのタイミング図であり、ここでは例としてＨＤＣＰ処理回路４１６内の擬似信号生成回路４２１における動作を示している。
【０１２５】
図３５の動作タイミングでは、まず入力選択情報Ｃ４０１が「Ｐｏｒｔ１」を示している。このとき映像再生装置４０１からは、ＨＤＭＩポート４１１（Ｐｏｒｔ０）に対して映像信号が送信されていない状態であるとする。時間ｔ４１１において、映像再生装置４０１から、送信しようとしている映像フォーマットの情報がＣＥＣを利用して送信され、ＣＥＣ通信ラインＬ４０２を介した映像フォーマット情報「Ａ」の受信が開始されている。時間ｔ４１２において、ＣＥＣ通信ラインＬ４０２を介した映像フォーマット情報「Ａ」の受信が完了し、受信された映像フォーマット情報「Ａ」はＣＥＣ制御回路４１８から映像フォーマット情報Ｉ４０２として映像信号生成回路４２９に入力される。このとき映像信号生成回路４２９は、映像フォーマット情報Ｉ４０２が示す情報「Ａ」に対応する映像パラメータ情報Ｉ４０４を映像パラメータ格納メモリ４３０から読み出す。そして、映像信号生成回路４２９の内部カウンタが動作を開始し、映像信号生成回路４２９は映像パラメータ情報Ｉ４０４に基づいて映像信号Ｖ４１２の生成を開始する。ここでは例として、映像パラメータ情報Ｉ４０４にはＶＳＹＮＣ立下り情報とＶＳＹＮＣ立上り情報が含まれる。映像フォーマット情報「Ａ」に対応する映像パラメータ情報Ｉ４０４には、ＶＳＹＮＣ立上り時間情報として「ｍ」、ＶＳＹＮＣ立上り時間情報として「ｎ」が含まれる。
【０１２６】
時間ｔ４１３において、映像信号生成回路４２９の内部カウンタの値が「ｍ」になり、ＶＳＹＮＣ立下り時間情報「ｍ」と一致したことによって、映像信号Ｖ４１２に含まれるＶＳＹＮＣが立ち下がっている。時間ｔ４１４において、映像信号生成回路４２９の内部カウンタの値が「ｎ」になり、ＶＳＹＮＣ立上り時間情報「ｎ」と一致したことによって、映像信号Ｖ４１２に含まれるＶＳＹＮＣが立ち上がっている。このとき、内部カウンタの値は「０」にリセットされている。
【０１２７】
図３６はモニタ出力するＨＤＭＩポートを切り替えた時の、各構成回路の状態変化を説明するためのタイミング図である。ここでは例としてＨＤＭＩポート４１１のＨＤＣＰ認証状態について説明する。
【０１２８】
図３６の動作タイミングにおいて、最初は、入力選択情報Ｃ４０１は「Ｐｏｒｔ１」を示している。時間ｔ４２１において、ＨＤＭＩポート４１１に外部機器が接続され、外部機器からＨＤＭＩポート４１１を介してデジタル信号が入力される。入力選択情報Ｃ４０１が「Ｐｏｒｔ１」を示しているため、入力信号セレクタ４１４は、ＨＤＭＩポート４１２が出力するデジタル信号Ｓ４０３を選択し、デジタル信号Ｓ４０４として出力する。ＨＤＣＰ処理回路４１６は入力処理回路４１５でシリアル−パラレル変換して得られた映像信号Ｖ４０３が入力されている。ここで映像再生装置４０１からＣＥＣラインを介して映像フォーマット情報が送信され、ＣＥＣ制御回路４１８はＣＥＣ通信ラインＬ４０２を介して映像フォーマット情報の受信を開始している。
【０１２９】
時間ｔ４２２において、ＣＥＣ通信ラインＬ４０２を介した映像フォーマット情報の受信が完了し、ＣＥＣ制御回路４１８は映像フォーマット情報Ｉ４０２を出力し、擬似信号生成回路４２１の映像信号生成回路４２９は映像信号Ｖ４１２を生成する。このときタイミング情報保持回路４２６には映像タイミング情報が格納されていないため情報格納完了信号Ｃ４０２は「０」であり、映像信号セレクタ４３１は映像信号Ｖ４１２を選択して映像信号Ｖ４１３として出力する。また映像信号セレクタ４２２は、入力選択情報Ｃ４０１が「Ｐｏｒｔ１」を示しているため、映像信号Ｖ４１３を選択して映像信号Ｖ４１４として出力する。つまり認証鍵生成回路４２４には映像信号生成回路４２９が生成した映像信号が入力される。認証鍵生成回路４２４は、入力された映像信号Ｖ４１４に基づいて認証鍵の生成を実行し、生成された認証鍵は認証鍵Ｋ４０２として出力される。映像再生装置４０１は認証鍵Ｋ４０２を使用してＨＤＣＰの認証状態を判定する。
【０１３０】
時間ｔ４２３において、入力選択情報Ｃ４０１が「Ｐｏｒｔ０」に切り替えられている。これに伴って、入力信号セレクタ４１４はＨＤＭＩポート４１１（Ｐｏｒｔ０）を介して受信したデジタル信号Ｓ４０２を選択してデジタル信号Ｓ４０４として出力し、デジタル信号Ｓ４０４は入力処理回路４１５でシリアル−パラレル変換され、映像信号Ｖ４０３として出力される。またＨＤＣＰ処理回路４１６の映像信号セレクタ４２２は、入力選択情報Ｃ４０１が「Ｐｏｒｔ０」を示しているため、映像信号Ｖ４０３を選択して映像信号Ｖ４１４として出力する。ＨＤＣＰ復号回路４２３は映像信号Ｖ４１４に暗号の復号化処理を行い、映像信号Ｖ４０４を出力する。映像選択セレクタ４１９もまた、入力選択情報Ｃ４０１が「Ｐｏｒｔ０」を示しているため、ＨＤＣＰ処理回路４１６から出力された映像信号Ｖ４０４を選択し、映像信号Ｖ４０６としてモニタ４２０に出力する。
【０１３１】
時間ｔ４２４において、映像信号Ｖ４０３に含まれるＶＳＹＮＣが立ち上がり、擬似信号生成回路４２１のタイミング検出回路４２５が動作を開始する。時間ｔ４２５において、映像信号Ｖ４０３のＶＳＹＮＣが再度立ち上がり、タイミング情報保持回路４２６は、映像信号のタイミング情報が格納されたことを示す情報格納完了信号Ｃ４０２を「１」にし、映像信号生成回路４２８が映像信号の生成を開始する。情報格納完了信号Ｃ４０２が「１」に変化したことによって、映像信号セレクタ４３１は擬似映像信号Ｖ４１１を選択し、映像信号Ｖ４１３として出力する。
【０１３２】
時間ｔ４２６において、入力選択情報Ｃ４０１が「Ｐｏｒｔ１」に変化している。入力信号セレクタ４１４は、ＨＤＭＩポート４１２から受信したデジタル信号Ｓ４０３を選択してデジタル信号Ｓ４０４として出力する。入力処理回路４１５でシリアル−パラレル変換された映像信号Ｖ４０３はＨＤＣＰ処理回路４１７で暗号の復号化処理が施され、映像信号セレクタ４１９を通して、モニタ４２０に映像信号Ｖ４０６として出力される。このときＨＤＣＰ処理回路４１６の内部では、映像信号セレクタ４３１は映像信号Ｖ４１１を選択し、映像信号セレクタ４２２は映像信号Ｖ４１３を選択して映像信号Ｖ４１４として出力するため、認証鍵生成回路４２４は、映像信号生成回路４２８が生成した映像信号に基づいて、認証鍵の生成を行う。その結果ＨＤＣＰの認証は継続される。
【０１３３】
時間ｔ４２７において、入力選択情報Ｃ４０１は再度「Ｐｏｒｔ０」に切り替わっている。時間ｔ４２７以前でもＨＤＣＰの認証状態は継続しているため、入力信号セレクタ４１４が出力するデジタル信号Ｓ４０４がデジタル信号Ｓ４０２に切り替わり、映像信号セレクタ４１９が出力する映像信号Ｖ４０６が映像信号Ｖ４０４に切り替わり、モニタ４２０に映像信号Ｖ４０６が入力される。このときＨＤＣＰの再認証を発生させることがないため、ＨＤＭＩポート切り替え時の表示までの待ち時間を短縮することができる。
【産業上の利用可能性】
【０１３４】
本発明では、低コスト、低消費電力な構成で、表示対象のデジタル映像信号等を切り替えたときの表示までの待ち時間を低減することができるので、例えば、ＴＶ等の映像受信機器のコストダウンおよび出画時間の短縮に有効である。
【符号の説明】
【０１３５】
１０１，１０２  ＨＤＭＩポート（受信インターフェース手段）
１０３  入力選択回路
１０４  接続検出回路
１０５  入力信号セレクタ
１０６  入力処理回路
１０７，１０８  ＨＤＣＰ処理回路（暗号復号処理回路）
１０９  映像信号セレクタ
１１１，１１５  擬似信号生成回路
１１２，１１６  第２の映像信号セレクタ
１１３，１１７  ＨＤＣＰ復号回路（映像復号回路）
１１４，１１８  認証鍵生成回路
１２１  タイミング検出回路
１２２  タイミング情報保持回路
１２３  暗号制御情報保持回路
１２４  映像信号生成回路
１３１  発振器
２０１，２０２，２０３  ＨＤＭＩポート（受信インターフェース手段）
２０４  出力映像選択回路
２０５  入力選択回路
２０６  第１の入力信号セレクタ
２０７  第２の入力信号セレクタ
２０８  第１の入力処理回路
２０９  第２の入力処理回路
２１０  接続検出回路
２１１，２１２，２１３  ＨＤＣＰ処理回路（暗号復号処理回路）
２１４  映像信号セレクタ
２２１  擬似信号生成回路
２２２  第２の映像信号セレクタ
２２３  第３の映像信号セレクタ
２２４  ＨＤＣＰ復号回路（映像復号回路）
２２５  認証鍵生成回路
２２６  第４の映像信号セレクタ
２２７  タイミング検出回路
２２８  タイミング情報保持回路
２２９  暗号制御情報保持回路
２３０  映像信号生成回路
２４１  発振器
２４２  タイマ
３０１  ＨＤＭＩポート（受信インターフェース手段）
３０２  ＴＶアンテナ（映像信号受信手段）
３０４  入力処理回路
３０５  入力電力制御回路
３０６  接続検出回路
３０８  ＨＤＣＰ処理回路（暗号復号処理回路）
３０９  映像信号セレクタ
３１１  擬似信号生成回路
３１２  第２の映像信号セレクタ
３１３  ＨＤＣＰ復号回路（映像復号回路）
３１４  認証鍵生成回路
３２１  タイミング検出回路
３２２  タイミング情報保持回路
３２３  暗号制御情報保持回路
３２４  映像信号生成回路
３３１  発振器
３３２  タイマ
４０１，４０２  映像再生装置
４０３  映像表示装置
４０６  ＨＤＣＰ暗号回路（暗号回路）
４０７  ＨＤＣＰ認証回路（認証回路）
４０８  出力制御回路
４０９  ＣＥＣ制御回路（送信制御情報通信手段）
４１０  ＨＤＭＩポート（送信インターフェース手段）
４１１，４１２  ＨＤＭＩポート（受信インターフェース手段）
４１３  入力選択回路
４１４  入力信号セレクタ
４１５  入力処理回路
４１６，４１７  ＨＤＣＰ処理回路（暗号復号処理回路）
４１８  ＣＥＣ制御回路（受信制御情報通信手段）
４１９  映像信号セレクタ
４２１  擬似信号生成回路
４２２  第２の映像信号セレクタ
４２３  ＨＤＣＰ復号回路（映像復号回路）
４２４  認証鍵生成回路
４２５  タイミング検出回路
４２６  タイミング情報保持回路
４２７  暗号制御情報保持回路
４２８  映像信号生成回路
４２９  第２の映像信号生成回路
４３０  映像パラメータ格納メモリ
４３１  第３の映像信号セレクタ
【図１】
0005427236.tif 000002
【図２】
0005427236.tif 000003
【図３】
0005427236.tif 000004
【図４】
0005427236.tif 000005
【図５】
0005427236.tif 000006
【図６】
0005427236.tif 000007
【図７】
0005427236.tif 000008
【図８】
0005427236.tif 000009
【図９】
0005427236.tif 000010
【図１０】
0005427236.tif 000011
【図１１】
0005427236.tif 000012
【図１２】
0005427236.tif 000013
【図１３】
0005427236.tif 000014
【図１４】
0005427236.tif 000015
【図１５】
0005427236.tif 000016
【図１６】
0005427236.tif 000017
【図１７】
0005427236.tif 000018
【図１８】
0005427236.tif 000019
【図１９】
0005427236.tif 000020
【図２０】
0005427236.tif 000021
【図２１】
0005427236.tif 000022
【図２２】
0005427236.tif 000023
【図２３】
0005427236.tif 000024
【図２４】
0005427236.tif 000025
【図２５】
0005427236.tif 000026
【図２６】
0005427236.tif 000027
【図２７】
0005427236.tif 000028
【図２８】
0005427236.tif 000029
【図２９】
0005427236.tif 000030
【図３０】
0005427236.tif 000031
【図３１】
0005427236.tif 000032
【図３２】
0005427236.tif 000033
【図３３】
0005427236.tif 000034
【図３４】
0005427236.tif 000035
【図３５】
0005427236.tif 000036
【図３６】
0005427236.tif 000037
【図３７】
0005427236.tif 000038